(57)【特許請求の範囲】
【請求項１】
ファスナーエレメント(11,21,31,81) が固定部材(15)に取着された一対のエレメント部材(10,20,30,80) と、前記エレメント部材(10,20,30,80)が取着される一対のエレメント取付縁部(2) を互いに対向する位置に備えるファスナー被着部材(5) と、前記ファスナーエレメント(11,21,31,81) により形成されたエレメント列(3) に摺動可能に取着される少なくとも１つのスライダー(40,70) とを有し、
前記エレメント部材(10,20,30,80) は、前記エレメント取付縁部(2)に固定用縫製部(6,6a,6b) により直接固定され、
前記固定用縫製部(6,6a,6b) は、前記エレメント取付縁部(2) を刺通し、且つ、前記固定用縫製部(6,6a,6b) を形成する縫製糸(7) が前記固定部材(15)を保持し、
前記エレメント部材(10,20,30,80) は、前記エレメント取付縁部(2) に対して前記エレメント部材(10,20,30,80) の幅方向の外側に並ぶ位置で、前記エレメント取付縁部(2) に直接固定され、
前記エレメント取付縁部(2) の少なくとも一部を、前記スライダー(40,70) との接触から保護する保護部が設けられてなる、
ことを特徴とするスライドファスナー付き製品。
【請求項２】
前記ファスナー被着部材(5) の前記エレメント取付縁部(2) には、摺動する前記スライダー(40)の一部に対面するスライダー対面領域(2a)が、前記エレメント部材(10,20,30)の長さ方向に沿って配され、
前記固定用縫製部(6,6a,6b) の前記縫製糸(7) は、前記エレメント取付縁部(2) の前記スライダー対面領域(2a)の少なくとも一部に配され、
前記保護部は、前記スライダー対面領域(2a)の前記縫製糸(7) により形成されてなる、
請求項１記載のスライドファスナー付き製品。
【請求項３】
前記固定用縫製部(6,6a,6b) の前記縫製糸(7) は、前記保護部として、前記エレメント取付縁部(2) の前記スライダー対面領域(2a)にてジグザグ状に配されてなる請求項２記載のスライドファスナー付き製品。
【請求項４】
前記スライダー(40)は、互いに平行に配される上翼板(43)及び下翼板(44)と、前記上翼板(43)及び前記下翼板(44)間を連結する連結柱と、前記上翼板(43)及び前記下翼板(44)の少なくとも一方の左右側縁部に配されるフランジ部(45)とを有し、
前記ファスナー被着部材(5) の前記エレメント取付縁部(2) には、前記スライダー対面領域(2a)が、摺動する前記スライダー(40)の前記フランジ部(45)に対面するように、前記エレメント部材(10,20,30)の長さ方向に沿って配されてなる、
請求項２又は３記載のスライドファスナー付き製品。
【請求項５】
前記スライダー(70)は、互いに平行に配される上翼板(73)及び下翼板(74)と、前記上翼板(73)及び前記下翼板(74)間を連結する連結柱と、前記上翼板(73)及び前記下翼板(74)の少なくとも一方の左右側縁部に配されるフランジ部(75)とを有し、
前記ファスナーエレメント(81)は、前記ファスナーエレメント(81)の上半部及び下半部の少なくとも一方に、前記エレメント部材(80)の長さ方向に沿って配されるとともに、前記スライダー(70)の前記フランジ部(75)の位置に対応して配されるフランジ用凹部(83d) を有し、
前記保護部は、複数の前記ファスナーエレメント(81)の前記フランジ用凹部(83d) により形成されてなる、
請求項１記載のスライドファスナー付き製品。
【請求項６】
前記ファスナーエレメント(81)は、噛合相手側の前記ファスナーエレメント(81)に係合する噛合頭部(82c) を含むとともに、前記スライダー(70)における前記上翼板(73)及び前記下翼板(74)間の間隔に対応するエレメント厚さ方向の寸法を有する第１エレメント部(8
3a) と、前記第１エレメント部(83a) から幅方向の前記噛合頭部(82c) に対して離間する向きに延出するとともに、エレメント厚さ方向の寸法を前記第１エレメント部(83a) よりも段差(83c) を介して小さくする第２エレメント部(83b) とを有し、
前記フランジ用凹部(83d) は、前記第１エレメント部(83a) と前記第２エレメント部(83b) の前記エレメント厚さ寸法の違いにより前記ファスナーエレメント(81)に形成されてなる、
請求項５記載のスライドファスナー付き製品。
【請求項７】
前記固定用縫製部(6,6a,6b) は、本縫いにより形成されてなる請求項１〜６のいずれかに記載のスライドファスナー付き製品。
【請求項８】
前記固定用縫製部(6,6a,6b) は、前記エレメント部材(10,20,30,80)の長さ方向に対してジグザグ状に折れ曲がって形成されてなる請求項１〜７のいずれかに記載のスライドファスナー付き製品。
【請求項９】
複数の前記ファスナーエレメント(11,21,31,81) は、それぞれが独立して形成されるとともに、前記固定部材(15)に等間隔で配され、
前記固定用縫製部(6,6a,6b) は、前記縫製糸(7) が前記ファスナーエレメント(11,21,31,81) ごとに所定のパターンの縫い目を繰り返して形成されてなる、
請求項１〜８のいずれかに記載のスライドファスナー付き製品。
【請求項１０】
前記ファスナー被着部材(5) の前記エレメント取付縁部(2) は、前記ファスナー被着部材(5) の側縁部が前記エレメント部材(10,20,30,80) の幅方向に折り返されて形成されてなる請求項１〜９のいずれかに記載のスライドファスナー付き製品。
【請求項１１】
前記ファスナーエレメント(21,31) は、前記固定部材(15)に固定される胴部(22a,34a) と、噛合相手側の前記エレメント部材(20,30) の前記ファスナーエレメント(21,31) と係合する噛合部(22g,34g) とを有し、
前記胴部(22a,34a) は、前記ファスナーエレメント(21,31) の平面視において、前記エレメント部材(20,30) の長さ方向における前記胴部(22a,34a) の寸法が前記噛合部(22g,34g) から離れるにつれて漸減する漸減部(23b,35b) を有してなる、
請求項１〜１０のいずれかに記載のスライドファスナー付き製品。
【請求項１２】
ファスナー被着部材(5) に取着可能なエレメント部材(80)において、
固定部材(15)と、前記固定部材(15)に取着されるファスナーエレメント(81)とを有し、
前記ファスナーエレメント(81)は、前記固定部材(15)に固定される胴部(82a) と、前記胴部(82a) から前記エレメント部材(80)の幅方向に延出する噛合頭部(82c) とを有し、
前記ファスナーエレメント(81) は、前記噛合頭部(82c) を含むとともにエレメント厚さ方向の寸法が所定の大きさに設定される第１エレメント部(83a) と、前記胴部(82a) の少なくとも一部を含むとともに、エレメント厚さ方向の寸法が前記第１エレメント部(83a) よりも段差(83c) を介して小さくされた第２エレメント部(83b) とを有し、
前記ファスナーエレメント(81)に、前記第１エレメント部(83a) と前記第２エレメント部(83b) の前記エレメント厚さ寸法の違いにより形成される凹部(83d) が配されてなる、
ことを特徴とするエレメント部材。
【請求項１３】
スライドファスナー付き製品(1,1a,1b,1e〜1g)を製造する製造方法において、
固定部材(15)にファスナーエレメント(11,21,31,81) が取着されたエレメント部材(10,20,30,80) を形成すること、
エレメント取付縁部(2) を備えるファスナー被着部材(5) を形成すること、及び、
ミシンを用いて、前記ファスナー被着部材(5) と前記エレメント部材(10,20,30,80) とに縫製加工を行うことにより、固定用縫製部(6,6a,6b)を形成しながら、前記固定用縫製部(6,6a,6b) で前記ファスナー被着部材(5) の前記エレメント取付縁部(2) に前記エレメント部材(10,20,30,80) を、前記エレメント取付縁部(2) に対して前記エレメント部材(10,20,30,80) の幅方向の外側に並ぶ位置で固定すること、
を含んでなることを特徴とするスライドファスナー付き製品の製造方法。
【請求項１４】
前記固定用縫製部(6,6a,6b) を、本縫いのステッチで、長さ方向に対してジグザグ状に折れ曲がるように形成することを含んでなる請求項１３記載のスライドファスナー付き製品の製造方法。
【発明の詳細な説明】
【技術分野】
【０００１】
本発明は、複数のファスナーエレメントが固定部材に等間隔で取着されたエレメント部材が、衣料品などの製品に設けられるエレメント取付縁部に直接取り付けられて形成されるスライドファスナー付き製品、及び、そのスライドファスナー付き製品に用いられるエレメント部材、並びに、そのスライドファスナー付き製品の製造方法に関する。
【背景技術】
【０００２】
スライドファスナーは、一般的に、衣料品、日用雑貨品、産業用資材などの製品や、自動車、列車、航空機等の各種シート類などの製品の開閉具として多く使用されている。このような各種の製品に使用されるスライドファスナーは、一般的に、ファスナーテープのテープ側縁部にエレメント列が形成された左右一対のファスナーストリンガーと、左右のエレメント列に沿って摺動するスライダーとを有する。【０００３】
一般的なファスナーストリンガーとしては、例えば、熱可塑性樹脂製のモノフィラメントをコイル状又はジグザグ状に成形することにより連続ファスナーエレメントが形成され、その連続ファスナーエレメントがファスナーテープのテープ側縁部上に縫着されてエレメント列が形成されたファスナーストリンガーが知られている。またその他に、ファスナーテープテープ側縁部に、合成樹脂を直接射出成形することにより、又は、金属をダイカスト成形することにより、複数の独立したファスナーエレメントが所定の間隔で形成されてエレメント列が形成されたファスナーストリンガーも知られている。【０００４】
更に、例えば実公昭４０−１３８７０号公報（特許文献１）には、複数のファスナーエレメントが支持紐により連結されているエレメント部材が、ファスナーテープの縁に、オーバーロック（縁かがり縫い）のステッチにより縫い付けられることによって形成されるスライドファスナーが開示されている。【０００５】
なお、例えばオーバーロックミシンを用いて上述のようにエレメント部材をファスナーテープに縫い付ける場合、ファスナーテープのテープ表面側に配置される縫製糸（針糸）は、ファスナーエレメントに重ならないように配置される。一方、テープ裏面側に配置される縫製糸（ルーパー糸）は、オーバーロックミシンのルーパーの動きにより、テープ裏面側でファスナーエレメントの上に重なり易くなる。このため、特許文献１のようなオーバーロックのステッチを用いてファスナーストリンガーを形成する場合、ルーパー糸がファスナーエレメントに重ならないようにするための高い技術力が必要とされる。【０００６】
ところで、上述のような特許文献１のスライドファスナーを含む従来のスライドファスナーや従来のファスナーストリンガーでは、コイル状の連続ファスナーエレメントや、射出成形された合成樹脂製のファスナーエレメントなどがファスナーテープのテープ側縁部に取着されることにより、そのテープ側縁部にエレメント列が形成されている。また、スライドファスナーを衣料品などのファスナー被着部材に取り付ける場合には、ファスナーテープにおけるテープ側縁部以外の部分（一般にテープ主体部と言う）を、ファスナー被着部材のファスナー取付部に重ねた状態で両者をミシンで縫い合わせることが一般的に行われている。【０００７】
このため、一般的なスライドファスナーでは、通常、ファスナーテープが、スライドファスナーを構成するために必須の部材（部品）として用いられる。また、スライドファスナーがファスナーテープを有するとともに、スライドファスナーがファスナーテープを介して衣料品などのファスナー被着部材に取り付けられることにより、例えばスライドファスナーのスライダーをエレメント列に沿って摺動させたときに、スライダーに配された左右のフランジ部を、比較的強く形成されたファスナーテープに摺接させて、衣料品などの製品には直接摺接しない（又は摺接し難い）ようにしている。これにより、スライダーの摺動操作が繰り返し行われても、スライダーの摺接に伴う擦れや摩擦を製品自体に発生させない（又は発生させ難い）ようにして、スライダーとの間の擦れや摩擦に起因して製品の生地が傷むことを防いでいる。【０００８】
一方、例えば特開昭６２−２９９２０５号公報（特許文献２）には、スライドファスナーが取り付けられた製品における色合いなどの見栄え（外観品質）の向上や、軽量化などを図るために、製品の生地を織成又は編成する際に、当該生地に、連続状のファスナーエレメントを又は複数のファスナーエレメントが芯紐に固定されたエレメント部材を、直接織り込み固定又は編み込み固定することが開示されている。これにより、ファスナーテープを介在させずに、ファスナーエレメントを製品の生地に直接取り付けることが可能となる。【０００９】
この特許文献２のように、ファスナーエレメントが製品の生地に直接織り込み又は編み込みされる場合、例えばスライドファスナーを製造してから、当該スライドファスナーのファスナーテープを製品の生地に縫製してスライドファスナー付き製品を製造する場合に比べて、スライドファスナー付き製品の製造における作業工程を減らすことが可能となる。このため、製造ラインのスピード化やコスト削減といった効果が期待できる。【００１０】
更に、製品の生地に直接ファスナーエレメントを織り込み固定又は編み込み固定できるため、スライドファスナーの必須構成部品であるファスナーテープが不要となる。このため、スライドファスナー付き製品の軽量化や柔軟性の向上なども期待できる。
【先行技術文献】
【特許文献】
【００１１】
【特許文献１】実公昭４０−１３８７０号公報
【特許文献２】特開昭６２−２９９２０５号公報
【発明の概要】
【発明が解決しようとする課題】
【００１２】
近年、衣料品などの衣類、鞄類、及び靴類などの製品では、それぞれの用途に応じて性質を改善したり、様々な機能を付与したりして付加価値を高めることが行われている。例えば日常的に使用される衣類や鞄類などにおいては、更なる軽量化や柔軟性の向上などが求められてきている。【００１３】
しかし、上述した特許文献１に記載されているスライドファスナーを含む従来のスライドファスナーでは、スライドファスナーの構成部品として、ファスナーテープ、ファスナーエレメント、及びスライダーが必要不可欠である。このため、そのスライドファスナーが取着されたスライドファスナー付き製品の場合、スライドファスナーによる軽量化には限界がある。また、製品のファスナー取付部に、ファスナーストリンガーのファスナーテープがミシンによる縫製加工等によって取り付けられるため、製品の柔軟性を低下させる場合もある。【００１４】
一方、例えば特許文献２に記載されているように、ファスナーエレメント又はエレメント部材を製品の生地に直接織り込み固定又は編み込み固定することによってスライドファスナー付き製品を製造する場合、上述のようにファスナーテープが不要となるため、スライドファスナー付き製品の軽量化が実現し易くなる。【００１５】
しかし、ファスナーエレメントを製品の生地に直接織り込み固定又は編み込み固定するためには、高度の技術や専用の設備が必要となる。その結果、設備コストの増加を招くとともに、熟練の技術者の確保や育成に取り組むことも必要となる。【００１６】
また、例えば製品の用途等に応じて、製品の生地に合成樹脂をコーティングすること等によって生地に所望の機能を付与することがある。しかし、特許文献２のように製品の生地を織成又は編成する際にファスナーエレメントを直接織り込み固定又は編み込み固定する場合、生地に合成樹脂をコーティングすること等によって所望の機能を安定して付与することが難しくなることもある。【００１７】
更に、特許文献２のスライドファスナー付き製品では、上述したように、ファスナーエレメントが製品の生地に直接取り付けられている。このため、スライドファスナーのスライダーをエレメント列に沿って摺動させたときに、スライダーに配された左右のフランジ部が製品の生地に直接摺接する。その結果、スライダーの摺動操作が繰り返し行われることにより、スライダーの摺接に伴って製品の生地に擦れや摩擦が繰り返して発生するため、製品の生地が傷み易くなることが考えられる。【００１８】
本発明は上記従来の課題に鑑みてなされたものであって、その具体的な目的は、複数のファスナーエレメントを備えたエレメント部材が、ファスナーテープを介在させることなく製品のファスナー被着部材に直接取り付けられて、従来の一般的なスライドファスナー付き製品に比べて軽量化や柔軟性の向上が期待できるとともに、スライダーの摺動操作が繰り返し行われても製品のファスナー被着部材に傷みが生じ難いスライドファスナー付き製品、及び、そのスライドファスナー付き製品に用いられるエレメント部材、並びにそのスライドファスナー付き製品の製造方法を提供することにある。
【課題を解決するための手段】
【００１９】
上記目的を達成するために、本発明により提供されるスライドファスナー付き製品は、ファスナーエレメントが固定部材に取着された一対のエレメント部材と、前記エレメント部材が取着される一対のエレメント取付縁部を互いに対向する位置に備えるファスナー被着部材と、前記ファスナーエレメントにより形成されたエレメント列に摺動可能に取着される少なくとも１つのスライダーとを有し、前記エレメント部材は、前記エレメント取付縁部に固定用縫製部により直接固定され、前記固定用縫製部は、前記エレメント取付縁部を刺通し、且つ、前記固定用縫製部を形成する縫製糸が前記固定部材を保持し、前記エレメント部材は、前記エレメント取付縁部に対して前記エレメント部材の幅方向の外側に並ぶ位置で、前記エレメント取付縁部に直接固定され、前記エレメント取付縁部の少なくとも一部を、前記スライダーとの接触から保護する保護部が設けられてなることを最も主要な特徴とするものである。
【００２０】
本発明に係るスライドファスナー付き製品において、前記ファスナー被着部材の前記エレメント取付縁部には、摺動する前記スライダーの一部に対面するスライダー対面領域が、前記エレメント部材の長さ方向に沿って配され、前記固定用縫製部の前記縫製糸は、前記エレメント取付縁部の前記スライダー対面領域の少なくとも一部に配され、前記保護部は、前記スライダー対面領域の前記縫製糸により形成されていることが好ましい。【００２１】
この場合、前記固定用縫製部の前記縫製糸は、前記保護部として、前記エレメント取付縁部の前記スライダー対面領域にてジグザグ状に配されていることが好ましい。
また、前記スライダーは、互いに平行に配される上翼板及び下翼板と、前記上翼板及び前記下翼板間を連結する連結柱と、前記上翼板及び前記下翼板の少なくとも一方の左右側縁部に配されるフランジ部とを有し、前記ファスナー被着部材の前記エレメント取付縁部には、前記スライダー対面領域が、摺動する前記スライダーの前記フランジ部に対面するように、前記エレメント部材の長さ方向に沿って配されていることが好ましい。【００２２】
また、本発明のスライドファスナー付き製品において、前記スライダーは、互いに平行に配される上翼板及び下翼板と、前記上翼板及び前記下翼板間を連結する連結柱と、前記上翼板及び前記下翼板の少なくとも一方の左右側縁部に配されるフランジ部とを有し、前記ファスナーエレメントは、前記ファスナーエレメントの上半部及び下半部の少なくとも一方に、前記エレメント部材の長さ方向に沿って配されるとともに、前記スライダーの前記フランジ部の位置に対応して配されるフランジ用凹部を有し、前記保護部は、複数の前記ファスナーエレメントの前記フランジ用凹部により形成されていても良い。【００２３】
この場合、前記ファスナーエレメントは、噛合相手側の前記ファスナーエレメントに係合する噛合頭部を含むとともに、前記スライダーにおける前記上翼板及び前記下翼板間の間隔に対応するエレメント厚さ方向の寸法を有する第１エレメント部と、前記第１エレメント部から幅方向の前記噛合頭部に対して離間する向きに延出するとともに、エレメント厚さ方向の寸法を前記第１エレメント部よりも段差を介して小さくする第２エレメント部とを有し、前記フランジ用凹部は、前記第１エレメント部と前記第２エレメント部の前記エレメント厚さ寸法の違いにより前記ファスナーエレメントに形成されていることが好ましい。【００２４】
本発明のスライドファスナー付き製品において、前記固定用縫製部は、本縫いにより形成されていることが好ましい。
また、前記固定用縫製部は、前記エレメント部材の長さ方向に対してジグザグ状に折れ曲がって形成されていることが好ましい。
更に、複数の前記ファスナーエレメントは、それぞれが独立して形成されるとともに、前記固定部材に等間隔で配され、前記固定用縫製部は、前記縫製糸が前記ファスナーエレメントごとに所定のパターンの縫い目を繰り返して形成されていることが好ましい。【００２５】
また、本発明のスライドファスナー付き製品において、前記ファスナー被着部材の前記エレメント取付縁部は、前記ファスナー被着部材の側縁部が前記エレメント部材の幅方向に折り返されて形成されていることが好ましい。【００２６】
本発明のスライドファスナー付き製品において、前記ファスナーエレメントは、前記固定部材に固定される胴部と、噛合相手側の前記エレメント部材の前記ファスナーエレメントと係合する噛合部とを有し、前記胴部は、前記ファスナーエレメントの平面視において、前記エレメント部材の長さ方向における前記胴部の寸法が前記噛合部から離れるにつれて漸減する漸減部を有することが好ましい。【００２７】
次に、本発明により提供されるエレメント部材は、ファスナー被着部材に取着可能なエレメント部材において、固定部材と、前記固定部材に取着されるファスナーエレメントとを有し、前記ファスナーエレメントは、前記固定部材に固定される胴部と、前記胴部から前記エレメント部材の幅方向に延出する噛合頭部とを有し、前記ファスナーエレメントは、前記噛合頭部を含むとともにエレメント厚さ方向の寸法が所定の大きさに設定される第１エレメント部と、前記胴部の少なくとも一部を含むとともに、エレメント厚さ方向の寸法が前記第１エレメント部よりも段差を介して小さくされた第２エレメント部とを有し、前記ファスナーエレメントに、前記第１エレメント部と前記第２エレメント部の前記エレメント厚さ寸法の違いにより形成される凹部が配されてなることを最も主要な特徴とするものである。【００２８】
次に、本発明により提供される製造方法は、スライドファスナー付き製品を製造する製造方法において、固定部材にファスナーエレメントが取着されたエレメント部材を形成すること、エレメント取付縁部を備えるファスナー被着部材を形成すること、及び、ミシンを用いて、前記ファスナー被着部材と前記エレメント部材とに縫製加工を行うことにより、固定用縫製部を形成しながら、前記固定用縫製部で前記ファスナー被着部材の前記エレメント取付縁部に前記エレメント部材を、前記エレメント取付縁部に対して前記エレメント部材の幅方向の外側に並ぶ位置で固定することを含んでなることを最も主要な特徴とするものである。
本発明の製造方法は、前記固定用縫製部を、本縫いのステッチで、長さ方向に対してジグザグ状に折れ曲がるように形成することを含むことが好ましい。
【発明の効果】
【００２９】
本発明に係るスライドファスナー付き製品は、可撓性を備えた長尺の固定部材に複数の独立するファスナーエレメントが等間隔で取着されて形成される左右一対のエレメント部材と、エレメント部材が取着される左右一対のエレメント取付縁部を互いに対向する位置に備えるファスナー被着部材と、複数のファスナーエレメントにより形成されたエレメント列に摺動可能に取着される少なくとも１つのスライダーとを有する。【００３０】
左右のエレメント部材は、ファスナー被着部材の対応するエレメント取付縁部に固定用縫製部によりそれぞれ直接固定されている。この場合、固定用縫製部は、エレメント取付縁部を刺通するとともに、固定用縫製部を形成する縫製糸がエレメント部材の固定部材を保持している。更に本発明のスライドファスナー付き製品には、エレメント取付縁部の少なくとも一部を、スライダーとの接触から保護する保護部が設けられている。【００３１】
上述のような本発明のスライドファスナー付き製品によれば、エレメント部材が、上述の固定用縫製部によって、ファスナー被着部材のエレメント取付縁部に容易に且つ安定して固定されるとともに、そのエレメント部材の固定状態を安定して維持できる。このため、製品に形成されるスライドファスナーの機能を長期に亘って安定して発揮させることができる。【００３２】
また、本発明のスライドファスナー付き製品では、従来のスライドファスナーにおいて必須の構成部品であったファスナーテープを用いることなくスライドファスナーを構成することができる。このようにファスナーテープを不要とすることにより、スライドファスナー付き製品の軽量化や柔軟性を向上できる。また本発明では、例えば防水性などのような所望の機能が付与されたファスナー被着部材に対して、エレメント部材が、ミシンにより形成される固定用縫製部によって直接固定されるため、ファスナー被着部材（生地）が特別な機能を備えたスライドファスナー付き製品を低コストで容易に製造することも可能となる。【００３３】
更に本発明では、エレメント取付縁部の少なくとも一部をスライダーとの接触から保護する保護部が形成されている。このため、スライダーの摺動操作が繰り返し行われても、ファスナー被着部材のエレメント取付縁部に生じる擦れや摩擦を保護部によって抑制し、ファスナー被着部材を傷み難くすることができる。【００３４】
従って、本発明のスライドファスナー付き製品では、スライドファスナーの使い易さや利便性を大幅に向上させることができる。このため、本発明の製品は、衣類、靴類、鞄類などの日用品に対してより好適に用いられ、また、日用品以外にも、産業用資材などの製品、自動車や航空機等の各種シート類などの様々な製品に対して好適に用いられる。【００３５】
上述のような本発明のスライドファスナー付き製品において、ファスナー被着部材のエレメント取付縁部には、摺動するスライダーの一部に対面するスライダー対面領域が、エレメント部材の長さ方向に沿って配されており、固定用縫製部の縫製糸は、エレメント取付縁部のスライダー対面領域の少なくとも一部の対向面に露出して配されている。また、エレメント取付縁部を保護する保護部は、スライダー対面領域の縫製糸により形成されている。【００３６】
このようにエレメント取付縁部を保護する保護部が、エレメント取付縁部のスライダー対面領域に配される縫製糸によって形成されることにより、保護部を容易に且つ安定して設けることができる。また、縫製糸による保護部によって、ファスナー被着部材のエレメント取付縁部を、スライダーとの摺接から効果的に保護することができる。【００３７】
特にこの場合、固定用縫製部の縫製糸は、保護部として、エレメント取付縁部のスライダー対面領域にてジグザグ状に配されている。これによって、ファスナー被着部材のエレメント取付縁部を、スライダーとの摺接から、より効果的に保護することができる。【００３８】
また、本発明のスライダーは、互いに平行に配される上翼板及び下翼板と、上翼板及び下翼板間を連結する連結柱と、上翼板及び下翼板の少なくとも一方の左右側縁部に配されるフランジ部とを有する。この場合、ファスナー被着部材のエレメント取付縁部には、スライダー対面領域が、摺動するスライダーのフランジ部に対面するように、エレメント部材の長さ方向に沿って配されている。これによって、固定用縫製部の縫製糸により形成される保護部で、ファスナー被着部材のエレメント取付縁部を、スライダーのフランジ部との摺接からより効果的に保護することができる。【００３９】
また、本発明のスライドファスナー付き製品では、スライダーが、互いに平行に配される上翼板及び下翼板と、上翼板及び下翼板間を連結する連結柱と、上翼板及び下翼板の少なくとも一方の左右側縁部に配されるフランジ部とを有する場合に、ファスナーエレメントは、ファスナーエレメントの上半部及び下半部の少なくとも一方に、エレメント部材の長さ方向に沿って配されるとともに、スライダーのフランジ部の位置に対応して配されるフランジ用凹部を有していても良い。この場合、エレメント取付縁部を保護する保護部は、複数のファスナーエレメントのフランジ用凹部により形成されている。【００４０】
これによって、スライダーの摺動時に、スライダーのフランジ部が、複数のファスナーエレメントに形成されたフランジ用凹部内に収容されながら移動することができ、それによって、フランジ部がファスナー被着部材のエレメント取付縁部に直接摺接しなくなる（又は摺接し難くなる）ため、スライダーの摺動に起因してファスナー被着部材に傷みが生じることを効果的に防止できる。【００４１】
特にこの場合、ファスナーエレメントは、噛合相手側のファスナーエレメントに係合する噛合頭部を含むとともに、スライダーにおける上翼板及び下翼板間の間隔に対応するエレメント厚さ方向の寸法を有する第１エレメント部と、第１エレメント部から幅方向の噛合頭部に対して離間する向きに延出するとともに、エレメント厚さ方向の寸法を第１エレメント部よりも段差を介して小さくする第２エレメント部とを有する。これにより、保護部となるフランジ用凹部が、第１エレメント部と第２エレメント部のエレメント厚さ寸法の違いによりファスナーエレメントに容易に形成される。このため、複数のファスナーエレメントに設けられるフランジ用凹部よって、ファスナー被着部材のエレメント取付縁部をスライダーのフランジ部から安定して保護できる。【００４２】
このような本発明のスライドファスナー付き製品において、エレメント部材をエレメント取付縁部に固定する固定用縫製部は、本縫いにより形成されている。特に、本発明の固定用縫製部は、前記エレメント部材の長さ方向に対してジグザグ状に折れ曲がって形成されている。【００４３】
上述のような固定用縫製部を備えたスライドファスナー付き製品であれば、例えば千鳥縫いミシンを用いることによって、エレメント部材を、ファスナー被着部材のエレメント取付縁部に容易に且つ安定して縫い付けることが可能となる。このため、高価な専用の設備を新たに導入しなくても、本発明のスライドファスナー付き製品を安定して、また、安価に製造することが可能となる。またこの場合、固定用縫製部の縫製糸によって、エレメント取付縁部を保護する保護部を容易に形成できるとともに、その縫製糸による保護部を、エレメント取付縁部の表面（上面）と裏面（下面）の両面に対称的に形成できる。このため、上翼板と下翼板の両方にフランジが配されるスライダーを用いる場合に、ファスナー被着部材のエレメント取付縁部をスライダーからより効果的に保護することができる。【００４４】
また、本発明のスライドファスナー付き製品において、複数のファスナーエレメントは、合成樹脂によりそれぞれが独立して形成されるとともに、固定部材に等間隔で配されている。また、固定用縫製部は、縫製糸がファスナーエレメントごとに所定のパターンの縫い目を繰り返して形成されている。これにより、エレメント部材が、ファスナー被着部材のエレメント取付縁部に円滑に且つ安定して取り付けられて、エレメント取付縁部にエレメント列が適切に形成される。【００４５】
更に本発明のスライドファスナー付き製品において、ファスナー被着部材のエレメント取付縁部は、ファスナー被着部材の側縁部がエレメント部材の幅方向に折り返されて形成される。これにより、ファスナー被着部材のエレメント取付縁部の強度を容易に高めることができる。またそれによって、ファスナー被着部材のエレメント取付縁部にエレメント部材がよりしっかりと固定されるとともに、ファスナー被着部材に対する各エレメントの位置及び姿勢をより安定させることができる。【００４６】
また、ファスナー被着部材の側縁部がエレメント部材の幅方向に折り返されることにより、例えばファスナー被着部材（生地）の側端縁に解れが生じていても、その解れがエレメント取付縁部の裏面側に隠されて、外側に表出しないようにすることができる。それによって、スライドファスナー付き製品の外観品質（見栄え）を高めることができる。更に、側端縁の解れが、左右のエレメント列の噛み合わせを悪くすることを防止するとともに、スライダーの摺動性を低下させることを防止することができる。【００４７】
更に、本発明のスライドファスナー付き製品において、各ファスナーエレメントは、固定部材に固定される胴部と、噛合相手側のエレメント部材のファスナーエレメントと係合する噛合部（後述する首部及び噛合頭部）とを有する。また、ファスナーエレメントの胴部は、ファスナーエレメントの平面視又は底面視において、噛合部寄りに配されるとともに、エレメント部材の長さ方向における胴部の寸法が一定の大きさとなる又は噛合部から離れるにつれて漸増する胴先端部と、噛合部から離間する方向に胴先端部から延出するとともに、エレメント部材の長さ方向における胴部の寸法が噛合部から離れるにつれて漸減する漸減部とを有する。ここで、胴部の長さ方向における寸法とは、ファスナーエレメントの平面視において、胴部における前面部と後面部との間の長さ方向における寸法を言う。【００４８】
各ファスナーエレメントが上述のような漸減部を有することにより、エレメント部材を固定する固定用縫製部が例えばジグザグ状に折れ曲がって形成される場合に、その固定用縫製部の縫製糸（本縫いの上糸及び下糸）を、ファスナーエレメントに、より重なり難くすることができる。それによって、固定用縫製部の縫製糸に緩みが生じることを防止し、エレメント部材がファスナー被着部材に固定された状態を安定して維持することができる。更に固定用縫製部の縫製糸がファスナーエレメントに重なることに起因して左右のエレメント列の噛み合わせが悪くなることや、スライダーの摺動性が低下することも防止できる。【００４９】
次に、本発明に係るエレメント部材は、ファスナー被着部材に取着可能なエレメント部材であり、また、可撓性を備えた長尺の固定部材と、固定部材に等間隔で取着される複数の独立するファスナーエレメントとを有する。エレメント部材の各ファスナーエレメントは、固定部材に固定される胴部と、胴部からエレメント部材の幅方向に首部を介して延出する噛合頭部とを有する。【００５０】
また、ファスナーエレメントは、噛合頭部を含むとともにエレメント厚さ方向の寸法が、例えばスライダーにおける上翼板及び下翼板間の間隔に対応する所定の大きさに設定される第１エレメント部と、胴部の少なくとも一部を含むとともに、エレメント厚さ方向の寸法が第１エレメント部よりも段差を介して小さくされた第２エレメント部とを有する。更に、ファスナーエレメントには、第１エレメント部と第２エレメント部のエレメント厚さ寸法の違いにより、スライダーのフランジ部を受け入れることが可能な凹部が設けられている。【００５１】
上述のような凹部が、複数のファスナーエレメントに亘って、エレメント部材の長さ方向に沿って形成されていることにより、スライダーの摺動時に、そのスライダーのフランジ部をファスナーエレメントの凹部内で移動させることが可能となり、それによって、スライダーのフランジ部がファスナー被着部材のエレメント取付縁部に直接摺接することを防止して、ファスナー被着部材をスライダーから安定して保護することができる。【００５２】
このような本発明のエレメント部材は、ミシンを用いて、ファスナー被着部材のエレメント取付縁部に直接固定することが可能である。また、上述のような本発明のエレメント部材を用いてスライドファスナー付き製品を製造した場合、エレメント部材の各ファスナーエレメントに形成された凹部（フランジ用凹部）に、スライダーのフランジ部を受け入れて収容することが可能であるため、ファスナーエレメントの凹部が上述したようにファスナー被着部材をスライダーから保護する保護部として機能する。それによって、スライダーの摺動操作が繰り返し行われても、スライダーのフランジ部がファスナー被着部材のエレメント取付縁部に直接摺接することを阻止し、スライダーの摺動に起因してファスナー被着部材に傷みが生じることを効果的に防止できる。【００５３】
次に、本発明に係るスライドファスナー付き製品の製造方法は、先ず、例えば固定部材に合成樹脂の射出成形を行うことにより、固定部材に所定の形状を有するファスナーエレメントが取着されたエレメント部材を形成する。また、エレメント部材とは別に、エレメント取付縁部を備えるファスナー被着部材を形成する。【００５４】
続いて、作製したファスナー被着部材とエレメント部材とに対してミシンを用いて縫製加工を行うことにより、固定用縫製部を形成しながら、その固定用縫製部でファスナー被着部材のエレメント取付縁部にエレメント部材を直接固定する。これにより、ファスナー被着部材のエレメント取付縁部に沿ってエレメント列が形成される。その後、例えばエレメント列にスライダーを取り付けることにより、ファスナーテープを用いないスライドファスナー付き製品を容易に製造することができる。その結果、スライドファスナー付き製品における製造コストの削減、軽量化、柔軟性の向上を達成することができる。【００５５】
上述のような本発明の製造方法では、エレメント部材をファスナー被着部材のエレメント取付縁部に固定する固定用縫製部を、本縫いのステッチで、長さ方向に対してジグザグ状に折れ曲がるように形成する。これにより、エレメント部材を、ファスナー被着部材に容易に且つ安定して固定できる。また、高価な専用の設備を新たに導入しなくても、例えば一般的な千鳥縫いミシンを用いることにより、スライドファスナー付き製品を安価に製造することが可能となる。またこの場合、固定用縫製部の縫製糸によって、エレメント取付縁部を保護する上述した保護部を容易に形成するとともに、その縫製糸による保護部を、エレメント取付縁部の表面（上面）と裏面（下面）の両面に対称的に形成することが可能となる。このため、ファスナー被着部材のエレメント取付縁部をスライダーからより効果的に保護することができる。
【図面の簡単な説明】
【００５６】
【図１】本発明の実施例１に係るスライドファスナー付き製品（衣服）を模式的に示す模式図である。
【図２】実施例１のエレメント部材が製品のファスナー取付部に取着されている部分を拡大して示す拡大平面図である。
【図３】エレメント部材が製品のファスナー取付部に取着されている部分を、噛合相手側のエレメント部材から見た側面図である。
【図４】図２に示したＩＶ−ＩＶ線における断面図である。
【図５】エレメント部材が製品のファスナー取付部に取着される前の状態を示す斜視図である。
【図６】実施例１の変形例に係るスライドファスナー付き製品の要部を示す平面図である。
【図７】本発明の実施例２に係るスライドファスナー付き製品の要部を示す平面図である。
【図８】実施例２のエレメント部材を示す斜視図である。
【図９】本発明の実施例３に係るスライドファスナー付き製品の要部を示す平面図である。
【図１０】実施例３に係るスライドファスナー付き製品の要部を示す底面図である。
【図１１】実施例３のエレメント部材の断面図である。
【図１２】本発明の実施例４に係るスライドファスナー付き製品の要部を示す断面図である。
【図１３】本発明の実施例５に係るスライドファスナー付き製品の要部を示す断面図である。
【図１４】本発明の実施例６に係るスライドファスナー付き製品の要部を示す平面図である。
【図１５】エレメント部材とスライダーとの関係を模式的に説明する断面図である。
【図１６】実施例６のエレメント部材を示す斜視図である。
【図１７】実施例１の別の変形例に係るスライドファスナー付き製品の要部を示す平面図である。
【図１８】実施例１の更に別の変形例に係るスライドファスナー付き製品の要部を示す平面図である。
【図１９】図１８に示したＸＩＸ−ＸＩＸ線における断面図である。
【発明を実施するための形態】
【００５７】
以下、本発明の好適な実施の形態について、実施例を挙げて図面を参照しながら詳細に説明する。なお、本発明は、以下で説明する実施形態に何ら限定されるものではなく、本発明と実質的に同一な構成を有し、かつ、同様な作用効果を奏しさえすれば、多様な変更が可能である。
【００５８】
例えば、以下の実施例では、スライドファスナー付き製品がスライドファスナー付き衣服である場合について説明するが、本発明に係るスライドファスナー付き製品は、衣服（衣料品）に限定されるものではなく、靴類や鞄類などの日用雑貨品、産業用資材などの製品、自動車、列車、航空機等の各種シート類などの様々な製品が含まれる。
【００５９】
また、以下の実施例１や２等では、製品（衣服）に形成されるスライドファスナーが、１つのスライダーを有する通常のスライドファスナーとして形成されているが、本発明では、例えば２つのスライダーが所定の向きでエレメント列に取着されて逆開き又は両開き可能なスライドファスナーを製品に形成することも可能である。
【実施例１】
【００６０】
図１は、本実施例１に係るスライドファスナー付き衣服を模式的に示す模式図である。図２は、エレメント部材が衣服のファスナー取付部に取着されている部分を拡大して示す拡大平面図であり、図３は、その部分を、噛合相手側のエレメント部材からエレメント部材の幅方向に沿って見たときの側面図である。図４は、図２に示したＩＶ−ＩＶ線における断面図である。【００６１】
また、以下の説明において、前後方向とは、スライダーの摺動方向に平行なエレメント部材の長さ方向を言い、特に、スライダーが左右のエレメント列を噛合させるように摺動する方向を前方とし、左右のエレメント列を分離させるように摺動する方向を後方とする。【００６２】
左右方向とは、エレメント部材の幅方向（又は、ファスナー被着部材となる生地の幅方向）を言い、例えば、スライダーの摺動方向に直交し、且つ、生地の表面及び裏面に平行な方向である。上下方向とは、前後方向と左右方向とに直行する方向を言い、例えば生地の表面（上面）及び裏面（下面）に直交するエレメント部材の厚さ方向を言う。特に以下の場合では、エレメント部材に対してスライダーの引手が配される側の方向を上方とし、その反対側の方向を下方とする。【００６３】
本実施例１に係るスライドファスナー付き製品１は、スライドファスナー付きの衣服（衣料品）１であり、この衣服１の前身頃の前立て部にスライドファスナーが形成されている。また、この衣服１において開閉部となる前身頃（特に、前立て部）を形成する左右の生地５に、左右のエレメント部材１０がそれぞれ取り付けられる左右のエレメント取付縁部２が配されている。【００６４】
この場合、衣服の前立て部を構成する生地５（ガーメント生地とも言う）が、エレメント部材１０が取着されるファスナー被着部材となる。従って、本実施例１で形成されるスライドファスナーは、衣服の生地５にエレメント部材１０が直接固定されることにより形成されたエレメント列３を備える左右一対のファスナーストリンガー部と、左右のファスナーストリンガー部のエレメント列３を噛合及び分離させることが可能なスライダー４０とを有する。【００６５】
ファスナー被着部材となる生地５は、衣服に必要な性能や性質（柔らかさ、厚さ、質感、色合いなど）を備えている。本実施例１において、エレメント部材１０が縫着される生地５は、衣服の形やデザイン等に応じて、所定の形状及び寸法に裁断されている。ここで、一般的な従来のファスナーテープの厚さが１．１ｍｍ〜１．５ｍｍであるのに対し、本実施例１で用いられるファスナー被着部材である生地５や、その他の部分の生地は、軽量化の点から薄く形成されており、例えば０．２ｍｍ以上１．０ｍｍ以下、好ましくは０．４ｍｍ以上０．７ｍｍ以下の厚さを有する。【００６６】
本実施例１において、生地（ファスナー被着部材）５に設けられる左右のエレメント取付縁部２は、衣服の前身頃における互いに対向する位置（すなわち、前立て部の対向縁部）に、直線状に且つ連続的に配されている。ここで、生地５に設けられるエレメント取付縁部２は、左右の前立て部を構成する生地５の互いに対向する対向側端から、エレメント部材１０の幅方向において、その生地５の内側に向けて所定の寸法を有する部分（領域）を言う。従って、生地５のエレメント取付縁部２は、エレメント部材１０の長さ方向に沿って一定の幅寸法を有して形成されている。このエレメント取付縁部２は、後述するように固定用縫製部６の縫製糸７が刺通する部分であり、且つ、後述するファスナーエレメント１１の胴部１２ａに接する部分である。【００６７】
この場合、左右のエレメント取付縁部２は、図４及び図５に示すように、生地５の裁断端部となる側縁部が、下面側にＵ字状に折り返されることによって形成される。このようにエレメント取付縁部２が形成されることにより、エレメント取付縁部２が、薄い生地５の他の部分よりも局部的に厚く形成されて、エレメント取付縁部２の強度を高めることができる。【００６８】
それにより、エレメント取付縁部２に、後述するように固定用縫製部６の縫製糸７（後述する上糸７ａ及び下糸７ｂ）が刺通しても、その縫製糸７によってエレメント取付縁部２が切断され難くなり、エレメント取付縁部２の耐久性を高めることができる。更に、エレメント取付縁部２の強度が高められることによって、そのエレメント取付縁部２にエレメント部材１０をしっかりと固定できるとともに、エレメント取付縁部２に固定された各ファスナーエレメント１１の位置及び姿勢を安定させることができる。【００６９】
更に、生地５の側縁部がＵ字状に折り返されることにより、例えば生地５の側端縁に解れが生じていても、その解れがエレメント取付縁部２の裏面側に隠されて、外側に表出しないようにすることができる。それによって、スライドファスナー付き衣服１が、良好な外観品質（見栄え）を備えることができる。また、生地５の側端縁に生じている解れに起因して、左右のエレメント列３の噛み合わせが悪くなることや、スライダー４０の摺動性（摺動の円滑さ）が低下することを防止できる。【００７０】
更に本実施例１では、例えばエレメント取付縁部２の表面及び裏面の少なくとも一方に、及び／又は、エレメント取付縁部２のＵ字状に折り返されている側縁部の内側（上下の折り返し部の間）に、図示しない樹脂フィルムなどの補強シート部材を貼着して取り付けることや、エレメント部材１０と一緒に縫い付けることも可能である。これによっても、エレメント取付縁部２を補強することができる。なお本発明において、この衣服の生地の構成は特に限定されるものではなく、衣服の用途などに応じて適宜変更することができる。【００７１】
従来のスライドファスナーでは、スライダーがエレメント列から外れて脱落することを防ぐために、エレメント列の前端及び後端に隣接して止具が一般的に設けられている。一方、本実施例１の場合、エレメント列３の前端及び後端に止具を隣接して設ける代わりに、エレメント列３の前端部及び後端部に重なるようにして、衣服の構成パーツとなる生地片が縫い付けられる。これにより、当該生地片が止具と同じように機能して、スライダー４０がエレメント列３の前端及び後端から脱落することを防止できる。【００７２】
なお、本発明では、スライダー４０の脱落を防ぐためにその他の手段を用いることも可能である。スライダー４０の脱落を防ぐ手段としては、例えばエレメント列３の前端及び後端に隣接する位置に止具を所定の形状に成形すること、エレメント列３の前端部及び後端部に配されるファスナーエレメント１１に専用の止具部品を取着して止具を形成すること、エレメント列３の前端部及び後端部に樹脂フィルムを接着又は溶着すること、エレメント列３の前端部及び後端部から延出した生地５の延出部分を折り返して縫い合わせること、左右のエレメント列３の前端部及び後端部を噛合させた状態でファスナー幅方向に縫うこと、及び、止具の代わりに蝶棒、箱棒、及び箱体を備えた開離嵌挿具を設けること等を利用することが可能である。【００７３】
本実施例１のエレメント部材１０は、複数の独立した合成樹脂製のファスナーエレメント１１（単独ファスナーエレメントとも言う）と、これら複数のファスナーエレメント１１を一定の間隔で連結する１本の固定部材１５とを有する。本実施例１の固定部材１５は、可撓性を備えた長尺の紐状の部材である。また、固定部材１５は、長さ方向に直交する断面が略円形を呈する部材であり、特に、円形の断面を有するとともにその断面積が長さ方向に一定となる部材であることが好ましい。【００７４】
固定部材１５としては、例えばモノフィラメント、撚糸（撚紐）、又は、引き揃えられた複数本のマルチフィラメントからなる芯糸を、複数の編糸で編成される袋織部で包み込むことにより形成される紐体（ニットコードとも言われる）などを用いることが可能である。【００７５】
なお本発明で用いられる固定部材は、複数のエレメントを取着することができれば、特に限定されるものではない。また、固定部材の断面形状は必要に応じて任意に変更することも可能である。更に、本発明のエレメント部材は、複数のファスナーエレメントを２本以上の紐状固定部材により連結することによって形成されていても良い。【００７６】
エレメント部材１０に配される複数のファスナーエレメント１１は、固定部材１５によって等間隔に連結された状態で、エレメント部材１０の長さ方向に沿って一列に整列している。これらのファスナーエレメント１１は、例えば、ポリアミド、ポリアセタール、ポリプロピレン、ポリブチレンテレフタレートなどの熱可塑性樹脂を、１本の固定部材１５に射出成形することにより、固定部材１５と一体的に、且つ、固定部材１５の外周全体を覆って形成されている。【００７７】
なお、本発明において、ファスナーエレメントの材質は、上記した合成樹脂に限定されるものではなく、ファスナーエレメントをその他の合成樹脂又は金属で形成することも可能である。また、本実施例１のエレメント部材１０は、熱可塑性樹脂を固定部材１５に射出成形してファスナーエレメント１１が形成されたものに限定されず、例えば、熱可塑性樹脂を射出成形して所定の形状に形成されたファスナーエレメントを、固定部材１５に溶着又は接着などによって固着されて形成されるものも含む。【００７８】
更に、本発明におけるエレメント部材は、本実施例１のような射出成形された合成樹脂製のファスナーエレメント１１が固定部材１５に一体的に形成されて連結されているものに限定されない。本発明のエレメント部材には、例えば、紐状の固定部材に金属のダイカスト成形を行って形成されるエレメント部材、横断面が略Ｙ形状を呈する線材（所謂、Ｙバー）を切断してエレメントを作製し、更にそのエレメントを押圧変形により固定部材に取り付けて形成されるエレメント部材、薄板状の平板部材を打ち抜いてエレメントを作製し、更にそのエレメントを押圧変形により固定部材に取り付けて形成されるエレメント部材などが含まれる。【００７９】
本実施例１の合成樹脂製のファスナーエレメント１１は、図５に生地５に取り付けられる前のエレメント部材１０を拡大して示したように、固定部材１５に固定される胴部１２ａと、胴部１２ａからエレメント部材１０の幅方向に連続的に延出するとともに長さ方向の寸法が細くなるように括れた形状を有する首部１２ｂと、首部１２ｂから更に幅方向に連続的に延出するとともに平面視にて略長円形を呈する噛合頭部１２ｃと、首部１２ｂから長さ方向の前方及び後方に薄板状に突出する突片部１２ｄ（肩部とも言う）とを有する。このような本実施例１のファスナーエレメント１１では、首部１２ｂと噛合頭部１２ｃとにより、噛合相手側のエレメント部材１０のファスナーエレメント１１と係合する噛合部１２ｇが形成される。【００８０】
この場合、胴部１２ａ、首部１２ｂ、及び突片部１２ｄにおけるそれぞれの上面部と下面部は、厚さ方向に直交するとともに互いに平行に配される。また、首部１２ｂの厚さ方向の寸法（以下、厚さ寸法と略記する）と、胴部１２ａの厚さ寸法とは同じ大きさに設定される。突片部１２ｄの厚さ寸法は、胴部１２ａ及び首部１２ｂの厚さ寸法よりも小さく設定される。【００８１】
ファスナーエレメント１１の胴部１２ａは、一定の厚さ寸法を備える略直方体状の形態を有する。この場合、胴部１２ａは、厚さ方向に直交して配される上面部及び下面部と、長さ方向に向いて配される前面部及び後面部と、生地５に対向するように首部１２ｂの延出方向とは反対側に向いて配され、生地５に対向する側面部（生地対向側面部）とを有する。【００８２】
本実施例１において、胴部１２ａの上面部と下面部とは互いに平行に配され、胴部１２ａの前面部と後面部とが互いに平行に配される。なお本実施例１において、胴部１２ａの前面部と後面部とは互いに平行ではなく、互いに傾斜する位置関係で配されていても良い。【００８３】
また、本実施例１の胴部１２ａにおいて、上面部又は下面部と、前面部、後面部、及び側面部との間に配される各稜線部や、前面部又は後面部と側面部との間に配される稜線部は、それぞれの稜線部の断面を見たときに、面取り加工が施されたような丸みを帯びた滑らかな曲面に形成されている。これにより、後述するように千鳥縫いミシンによって固定用縫製部６を形成してエレメント部材１０を生地５のエレメント取付縁部２に縫い付けるときに、更には縫い付けた後に、固定用縫製部６の縫製糸７がファスナーエレメント１１の胴部１２ａに接触しても、その縫製糸７を傷付き難くすることができる。【００８４】
更に、胴部１２ａの生地５に対向して配される側面部（生地対向側面部）には、生地５のエレメント取付縁部２の一部が挿入される挿入凹部１２ｅが、エレメント部材１０の長さ方向に沿って設けられている。この挿入凹部１２ｅは、胴部１２ａの側面部に、生地５のエレメント取付縁部２の厚さ寸法に対応する大きさで凹設されている。挿入凹部１２ｅの表面は、厚さ方向に対して滑らかな湾曲面状に形成されている。各ファスナーエレメント１１に設けられた挿入凹部１２ｅに、生地５のエレメント取付縁部２が挿入された状態でエレメント部材１０が固定用縫製部６でエレメント取付縁部２に固定されることにより、各ファスナーエレメント１１を所定の向きでエレメント取付縁部２にしっかりと安定して固定できる。【００８５】
このようなファスナーエレメント１１の胴部１２ａには、固定部材１５が、長さ方向に沿って貫通しており、且つ、固定部材１５の外周面が外部に露出しないように胴部１２ａに包み込まれた状態で保持されている。この場合、固定部材１５は、胴部１２ａにおける厚さ方向の中央部に保持されている。【００８６】
ファスナーエレメント１１における噛合頭部１２ｃの頂端部（先端部）には、厚さ方向の中央部に、凹溝部１２ｆが長さ方向に沿って形成されている。この凹溝部１２ｆは、左右のエレメント列３を噛合させるときに噛合相手側のファスナーエレメント１１の突片部１２ｄが嵌入可能なように形成される。従って、凹溝部１２ｆの厚さ寸法の最大値は、ファスナーエレメント１１の突片部１２ｄの厚さ寸法よりも大きく設定される。【００８７】
各ファスナーエレメント１１が上述のような噛合頭部１２ｃの凹溝部１２ｆと、前後の突片部１２ｄとを有することにより、左右のファスナーエレメント１１を噛合させたときに、上下方向の相対的な位置ずれが生じることを効果的に防止できる。なお本発明において、ファスナーエレメント１１の形状は特に限定されず、任意に変更することが可能である。【００８８】
上述のような本実施例１のエレメント部材１０は、生地５のエレメント取付縁部２に対して、幅方向の外側に隣接する位置に並べられて、固定用縫製部６（固定用縫製線）によって固定されている。この場合、固定用縫製部６は、千鳥縫いミシンの縫製により形成されるとともに、本縫いにより長さ方向に対してジグザグ状に折れ曲がって形成される。この固定用縫製部６によって、エレメント部材１０が、各ファスナーエレメント１１の胴部１２ａを生地５のエレメント取付縁部２に接触させた状態でエレメント取付縁部２に固定される。【００８９】
ここで、千鳥縫いミシンとは、ミシンの送り方向に交差する交差方向に沿ってミシン針を揺動させながら、生地５等を本縫いでジグザグに縫うことが可能なミシンである。なお、千鳥縫いミシンにおけるミシン針の揺動を千鳥振りと言うこともある。このような千鳥縫いミシンを用いるとともに、その千鳥縫いミシンに、例えばミシン針の針落ち位置となるＸ座標（送り方向の位置）とＹ座標（交差方向の位置）の座標データを設定して縫製を行うことにより、縫製後に形成される固定用縫製部６を、千鳥縫いミシンの送り方向に対し、上記交差方向にジグザグ状となるように容易に屈曲させることができる。【００９０】
本実施例１において、本縫いにより形成される固定用縫製部６の縫製糸７は、エレメント取付縁部２の表面（第１面）を走行するとともに固定部材１５の表面側半部に接する上糸（針糸）７ａと、エレメント取付縁部２の裏面（第２面）を走行するとともに固定部材１５の裏面側半部に接する下糸（ボビン糸）７ｂとを有する。この場合、固定用縫製部６は本縫いで形成されるため、上糸７ａと下糸７ｂとは、両者が交差する部分を除いて、上下方向において互いに面対称な位置関係で配される。【００９１】
本縫いの上糸７ａと下糸７ｂとには、従来の一般的なミシン糸が用いられる。また、本縫いにおける上糸７ａと下糸７ｂとは、固定用縫製部６がエレメント取付縁部２を刺通する刺通位置（後述する第１刺通位置１８ａ及び第２刺通位置１８ｂ）と、固定部材１５の外周面に接する位置とにおいて、互いに交差（交絡）している。【００９２】
固定用縫製部６の上糸７ａと下糸７ｂとは、厚さ方向に関して、エレメント取付縁部２の表面を走行する上糸７ａとエレメント取付縁部２の裏面を走行する下糸７ｂとの間の位置で互いに交差している。特に本実施例１における上糸７ａと下糸７ｂとは、エレメント取付縁部２における厚さ方向の中央部分の位置で相互に交差している。これにより、刺通位置における上糸７ａと下糸７ｂの交差部分を、エレメント取付縁部２で保護するとともに外部から見え難くすることができる。なお、厚さ方向における上糸７ａと下糸７ｂの交差位置は、千鳥縫いミシンにおける上糸７ａ及び下糸７ｂのテンションコントロールを行うことによって容易に変更することが可能である。【００９３】
本実施例１の固定用縫製部６は、上述のように千鳥縫いミシンを用いて上糸７ａと下糸７ｂとを他糸レーシングする本縫いのステッチで形成されている。これにより、固定用縫製部６が生地５のエレメント取付縁部２を刺通するとともに、エレメント部材１０の固定部材１５を包み込んで支持することができる。このため、エレメント部材１０が、固定用縫製部６によって、生地５のエレメント取付縁部２に容易に且つ安定して取り付けられて固定される。【００９４】
なお本実施例１では、固定用縫製部６の上糸７ａ及び下糸７ｂが生地５のエレメント取付縁部２を刺通するとともに、上糸７ａ及び下糸７ｂがエレメント部材１０の固定部材１５も刺通して保持することによって、エレメント部材１０を生地５のエレメント取付縁部２に取り付けることも可能である。【００９５】
また千鳥縫いミシンを用いて固定用縫製部６を形成することにより、縫製後の固定用縫製部６の上糸７ａと下糸７ｂとを、ファスナーエレメント１１の表面（上面）及び裏面（下面）に重なり難くすることができる。これにより、固定用縫製部６の上糸７ａ及び下糸７ｂがファスナーエレメント１１に重なることに起因して、上糸７ａ及び下糸７ｂの弛み、エレメント列３の噛み合わせの円滑さ（噛み合わせ易さ）の低下、スライダー４０の摺動性の低下などの不具合が生じることを抑制できる。【００９６】
本実施例１の固定用縫製部６は、本縫いの上糸７ａと下糸７ｂとが、１つのファスナーエレメント１１に対して固定部材１５の外周面上で互いに交差する外周交差位置から、次の固定部材１５の外周面上で互いに交差する外周交差位置までを走行する単位走行領域１７を有する。この単位走行領域１７の縫い目が、長さ方向にファスナーエレメント１１ごとに所定のパターンで繰り返して配されることによって、固定用縫製部６が形成される。この場合、本実施例１の固定用縫製部６を形成する各単位走行領域１７は、固定用縫製部６がエレメント取付縁部２を刺通する刺通位置を２つずつ有する。【００９７】
ここで、本実施例１の単位走行領域１７について、図２を参照しながら具体的に説明すると、本実施例１における固定用縫製部６の上糸７ａ及び下糸７ｂは、各単位走行領域１７において、固定部材１５の外周面で上糸７ａと下糸７ｂが交差する外周交差位置から最初の第１刺通位置１８ａまで配される第１走行部１７ａと、その第１刺通位置１８ａから次の第２刺通位置１８ｂまで配される第２走行部１７ｂと、第２刺通位置１８ｂから次の外周交差位置まで配される第３走行部１７ｃとを有する。【００９８】
この場合、第１走行部１７ａは、上糸７ａ（又は下糸７ｂ）が、上述の外周交差位置から、ファスナーエレメント１１の側面部に対応する幅方向の位置まで幅方向（又は略幅方向）に沿って走行し、更に第１刺通位置１８ａまでは幅方向に対して斜めに走行することにより形成される。この場合、第１走行部１７ａの幅方向に沿って走行する部分と幅方向に対して斜めに走行する部分との境界部は、ファスナーエレメント１１の胴部１２ａに接することもある。【００９９】
第２走行部１７ｂは、第１刺通位置１８ａと第２刺通位置１８ｂとの間で、上糸７ａ（又は下糸７ｂ）がエレメント部材１０の長さ方向に沿って走行することにより形成される。第３走行部１７ｃは、上糸７ａ（又は下糸７ｂ）が第２刺通位置１８ｂからファスナーエレメント１１の側面部に対応する幅方向の位置まで幅方向に対して斜めに走行し、更に外周交差位置までは幅方向（又は略幅方向）に沿って走行することにより形成される。この場合、第３走行部１７ｃの幅方向に対して斜めに走行する部分と幅方向に沿って走行する部分との境界部は、ファスナーエレメント１１の胴部１２ａに接することもある。【０１００】
上述のように上糸７ａ及び下糸７ｂが走行して固定用縫製部６が形成される場合、図２に示すようにエレメント部材１０と生地５のエレメント取付縁部２とを上方から見た平面視（又は下方から見た底面視）において、ファスナーエレメント１１のエレメント取付縁部２に接する側面部（生地対向側面部）と、固定用縫製部６におけるファスナーエレメント１１の側面部よりも更に生地５の内方側に形成される部分とが、等脚台形の形状を呈するように配置される。【０１０１】
特に本実施例１では、固定用縫製部６が生地５のエレメント取付縁部２を刺通する第１刺通位置１８ａ及び第２刺通位置１８ｂを、各ファスナーエレメント１１の生地対向側面部から、幅方向における生地５の内側（言い換えると、噛合相手側のファスナーエレメント１１に向く方向と反対側の方向）に向けて離間させている。すなわち、エレメント部材１０の幅方向に関して、固定用縫製部６の第１刺通位置１８ａ及び第２刺通位置１８ｂと各ファスナーエレメント１１の生地対向側面部の位置との間には、一定の間隔が設けられている。【０１０２】
この場合、エレメント部材１０の幅方向における第１刺通位置１８ａ及び第２刺通位置１８ｂと各ファスナーエレメント１１の生地対向側面部の位置との間の寸法（離間距離）Ｗは、具体的に、０．４ｍｍ以上、好ましくは０．８ｍｍ以上に設定される。またこの場合、上記の寸法（離間距離）Ｗは、生地５の厚さ寸法以上の大きさに設定されることが好ましい。【０１０３】
このような位置に固定用縫製部６の第１刺通位置１８ａ及び第２刺通位置１８ｂを設定することにより、固定用縫製部６の上糸７ａ及び下糸７ｂを、ファスナーエレメント１１の表面及び裏面に対して、より重なり難くすることができる。また、第１刺通位置１８ａ及び第２刺通位置１８ｂとエレメント取付縁部２の側端縁との間の幅方向における間隔を大きく確保できる。これにより、エレメント取付縁部２の強度を安定して確保し易くなり、例えば生地５が上糸７ａ及び下糸７ｂによって擦られることによって第１刺通位置１８ａ又は第２刺通位置１８ｂからエレメント取付縁部２の側端縁に向けて切れるというような生地５の損傷を生じさせ難くすることができる。【０１０４】
なお、固定用縫製部６の第１刺通位置１８ａ及び第２刺通位置１８ｂと各ファスナーエレメント１１の生地対向側面部の位置との間の寸法（離間距離）Ｗは、３０ｍｍ以下に、好ましくは１０ｍｍ以下に、更に好ましくは５ｍｍ以下に設定される。このような大きさに設定されることにより、固定用縫製部６によって、エレメント部材１０を生地５のエレメント取付縁部２に安定して固定でき、ファスナーエレメント１１の位置がずれることも効果的に防止できる。【０１０５】
更に本実施例１において、固定用縫製部６の第１刺通位置１８ａ及び第２刺通位置１８ｂと各ファスナーエレメント１１の生地対向側面部の位置との間の幅方向における寸法（離間距離）Ｗは、取り付けられるスライダー４０の後述するフランジ部４５の幅方向における寸法（図４参照）よりも大きく設定されている。すなわち、本実施例１における固定用縫製部６の第１刺通位置１８ａ及び第２刺通位置１８ｂは、エレメント列３に取着されるスライダー４０のフランジ部４５の位置よりもスライダー４０の外側に配される。【０１０６】
ここで、固定用縫製部６とスライダー４０のフランジ部４５との関係についてより詳しく説明すると、本実施例１における生地５の左右のエレメント取付縁部２には、図４に示すように、エレメント列３に沿って摺動するスライダー４０のフランジ部４５に対面するフランジ対面領域（スライダー対面領域）２ａが、エレメント取付縁部２の上面（表面）と下面（裏面）の両方に、長さ方向（エレメント部材１０の長さ方向）に沿って連続的に配されている。【０１０７】
本実施例１の固定用縫製部６は、上述のように、長さ方向に対して、幅方向にジグザグ状に折り返しながら形成されている（図２を参照）。この場合、その固定用縫製部６の縫製糸７である上糸７ａ及び下糸７ｂは、エレメント取付縁部２の上面及び下面に露出するとともに、そのエレメント取付縁部２の上記フランジ対面領域２ａを横切って配されている。このフランジ対面領域２ａを横切るように露出する上糸７ａ及び下糸７ｂは、エレメント取付縁部２を、スライダー４０のフランジ部４５との接触から保護する保護部を形成している。この場合、縫製糸７がジグザグ状に折り返されて形成される固定用縫製部６は、図４に示すように、エレメント取付縁部２のフランジ対面領域２ａよりも幅方向の寸法を大きくして配されている。なお本発明において、固定用縫製部６は、エレメント取付縁部２のフランジ対面領域２ａにおける幅方向の全体に亘って配されていれば、その幅方向の寸法を実施例１の場合よりも小さくすることができる。この保護部となる固定用縫製部６の縫製糸７（上糸７ａ及び下糸７ｂ）によって、生地５のエレメント取付縁部２にスライダー４０のフランジ部４５が直接摺接し難いように（又は摺接しないように）することができる。【０１０８】
従って、本実施例１のスライドファスナー付き衣服１において、スライダー４０の摺動操作が繰り返し行われても、スライダー４０のフランジ部４５によってエレメント取付縁部２が摩耗し難くなる。その結果、スライダー４０の摺動に起因してエレメント取付縁部２が部分的に薄くなることや切れること等のエレメント取付縁部２の損傷を抑制でき、エレメント取付縁部２がスライダー４０によって傷付けられ難くなる。このため、エレメント取付縁部２の耐久性を向上させることができる。【０１０９】
また本実施例１において、固定用縫製部６の第１刺通位置１８ａ及び第２刺通位置１８ｂは、図２に示すように、エレメント部材１０の長さ方向に関して、ファスナーエレメント１１の胴部１２ａの形成領域に対応する範囲内に配される。このように第１刺通位置１８ａ及び第２刺通位置１８ｂが上記範囲内に配されることにより、エレメント部材１０を固定用縫製部６によって生地５のエレメント取付縁部２にしっかりと固定できるとともに、エレメント部材１０の長さ方向における各ファスナーエレメント１１の位置が、エレメント取付縁部２に対して、ずれ難くするこができる。【０１１０】
本実施例１のスライドファスナー付き衣服１では、幅方向における各ファスナーエレメント１１の生地対向側面部の位置と固定用縫製部６の第１刺通位置１８ａ及び第２刺通位置１８ｂとの間の領域に、固定用縫製部６の上糸７ａ及び下糸７ｂを弛まないように締め付けるための補助縫製部８が連続的に形成されている。【０１１１】
特に、本実施例１の補助縫製部８は、ミシンを用いて補助用上糸（針糸）と補助用下糸（ボビン糸）を他糸レーシングする本縫いのステッチにより、エレメント部材１０の長さ方向に沿って直線的に形成される。このように補助縫製部８を本縫いで形成することにより、補助縫製部８を容易に且つ安定して形成できるとともに、後述するように固定用縫製部６の上糸７ａ及び下糸７ｂを安定して押さえ付ける（締め付ける）ことができる。このため、補助縫製部８は、締め付け用縫製部とも言うことができる。【０１１２】
この場合、補助縫製部８の補助用上糸と補助用下糸とは、補助縫製部８がエレメント取付縁部２を刺通する刺通位置で、且つ、エレメント取付縁部２における厚さ方向の中央部分の位置において、互いに交差（交絡）している。なお、厚さ方向における補助用上糸と補助用下糸の交差位置は、ミシンにおける補助用上糸及び補助用下糸のテンションコントロールを行うことによって変更することが可能である。【０１１３】
この補助縫製部８がエレメント取付縁部２を刺通する刺通位置は、上述のようにファスナーエレメント１１の生地対向側面部と固定用縫製部６の刺通位置（第１刺通位置１８ａ及び第２刺通位置１８ｂ）との間の幅方向における領域内に、言い換えると、固定用縫製部６における上述した第１走行部１７ａ及び第３走行部１７ｃに重なる領域内に配される。この領域内において、補助縫製部８の補助用上糸及び補助用下糸が、固定用縫製部６の上糸７ａ及び下糸７ｂの上にそれぞれ交差している。【０１１４】
このような補助縫製部８が形成されることにより、固定用縫製部６の上糸７ａ及び下糸７ｂを、補助用上糸及び補助用下糸で、上下からエレメント取付縁部２に向けて（言いかえると、厚さ方向の内側に向けて）押さえ付けることができる。これにより、補助縫製部８によって固定用縫製部６の上糸７ａ及び下糸７ｂを締め付けてテンションを加えることができる。【０１１５】
このため、固定用縫製部６の上糸７ａ及び下糸７ｂに弛みが生じていたとしても、その弛みを補助縫製部８の形成によって解消することができる。また、固定用縫製部６の上糸７ａ及び下糸７ｂに弛みが生じることも効果的に防止できる。従って、固定用縫製部６によるエレメント部材１０の固定を、より強固にしっかりと行うことができる。【０１１６】
更に本実施例１では、補助縫製部８の縫製糸７である補助用上糸及び補助用下糸の少なくとも一部は、エレメント取付縁部２の上記フランジ対面領域２ａ内に、エレメント取付縁部２をスライダー４０のフランジ部４５が接触することから保護する保護部として、長さ方向に沿って配されている。このように補助縫製部８の縫製糸７の少なくとも一部がフランジ対面領域２ａ内に配されることにより、スライダー４０の摺動操作が行われたときに、生地５のエレメント取付縁部２にスライダー４０のフランジ部４５がより摺接し難くなる。このため、エレメント取付縁部２を、スライダー４０のフランジ部４５からより安定して保護でき、その結果、エレメント取付縁部２の耐久性を更に向上させることができる。【０１１７】
また本実施例１において、補助縫製部８がエレメント取付縁部２を刺通する刺通位置は、図４に示したように、ファスナーエレメント１１の生地対向側面部と固定用縫製部６の第１刺通位置１８ａ及び第２刺通位置１８ｂとの間の幅方向における領域内に配されており、更には、ファスナーエレメント１１の生地対向側面部と固定用縫製部６の刺通位置との間の幅方向における中央位置に、又は、その中央位置よりも固定用縫製部６の第１刺通位置１８ａ及び第２刺通位置１８ｂに近い位置に配される。補助縫製部８の刺通位置が上述のように設定されることにより、当該補助縫製部８で固定用縫製部６の上糸７ａ及び下糸７ｂを押さえたときに、固定用縫製部６に弛みが生じることを効果的に防止できる。【０１１８】
なお、本実施例１の補助縫製部８は、長さ方向に沿った直線状の本縫いにより形成されているが、本発明では、補助縫製部が固定用縫製部６の上糸７ａ及び下糸７ｂをエレメント取付縁部２に向けて押さえることができれば、その補助縫製部を二重環縫い等のような本縫い以外のステッチによって形成することも可能である。【０１１９】
本実施例１のエレメント列３に取り付けられるスライダー４０は、図１や図４に模式的に示したように、スライダー胴体４１と、そのスライダー胴体４１に保持される引手４２とを有する。本実施例１のスライダー胴体４１は、上翼板４３と、上翼板４３と離間して平行に配される下翼板４４と、上翼板４３及び下翼板４４の前端部（肩口側端部）間を連結する図示しない連結柱と、上翼板４３及び下翼板４４の左右側縁部に配される上下のフランジ部４５と、上翼板４３の上面に配されるとともに引手４２を保持する引手取付部４６とを有する。【０１２０】
また、スライダー胴体４１の前端部には、連結柱を間に挟んで左右の肩口が形成され、スライダー胴体４１の後端部には後口が形成されている。また、上翼板４３及び下翼板４４間には、左右の肩口と後口とを連通する略Ｙ字形状のエレメント案内路が形成されている。更に、スライダー胴体４１における上下のフランジ部４５間には、生地５のエレメント取付縁部２を挿通させる挿通間隙が、上翼板４３及び下翼板４４と平行に形成されている。上述のような構造を有するスライダー４０を用いることにより、衣服１の生地５のエレメント取付縁部２に直接固定された左右のエレメント部材１０の噛合・分離を円滑に行うことができる。【０１２１】
次に、上述のようなエレメント部材１０を有する本実施例１のスライドファスナー付き衣服１の製造方法について説明する。
先ず、左右一対のエレメント部材１０と、衣服用の生地５とをそれぞれ準備する。本実施例１のエレメント部材１０は、上述したように、１本の紐状の固定部材１５に対して合成樹脂を直接射出成形し、所定の形状を有する複数のファスナーエレメント１１を等間隔で形成することによって作製される。【０１２２】
一方、エレメント部材１０とは別に、ファスナー被着部材となる衣服用の生地５を編成や織成などによって作製する。このとき、例えば生地５に防水性を付与したい場合には、編成又は織成された生地５に合成樹脂をコーティングしたり、樹脂フィルムを貼り付けたりすることも可能である。【０１２３】
続いて、作製した生地５を、衣服１の前身頃に対応した所定の形状となるように裁断し、ファスナー被着部材となる左右一対の前身頃用の生地５（生地パーツ）を作製する。更に、左右の生地５における裁断された側縁部をＵ字状に折り返すことにより、当該生地５に、エレメント部材１０を取り付けるためのエレメント取付縁部２を形成する。この場合、左右一対の前身頃用生地５にそれぞれ形成されるエレメント取付縁部２は、衣服を製造したときに互いに対向して配される位置に設けられる。【０１２４】
次に、上述のようにして作製したエレメント部材１０と、所定の形状に裁断されてエレメント取付縁部２が形成された生地５とを用いて、エレメント部材付きの衣服構成パーツを作製する。【０１２５】
先ず、１回目の縫製工程として、例えば図５に示したように、エレメント部材１０を、千鳥縫いミシンを用いて、生地５のエレメント取付縁部２に対して縫い付ける縫製加工を行う。このとき、針落ち位置の座標データが設定されている千鳥縫いミシンを用いて、エレメント部材１０と生地５のエレメント取付縁部２とに対して縫製を行うことにより、図２等に示した固定用縫製部６を形成しながら、その固定用縫製部６によってエレメント部材１０を生地５のエレメント取付縁部２に縫い付けて固定することができる。【０１２６】
次に、２回目の縫製工程として、固定用縫製部６によってエレメント部材１０が固定された生地５のエレメント取付縁部２に対し、１本針の本縫いミシンを用いて補助縫製部８を形成する縫製を行う。これにより、固定用縫製部６が形成されたエレメント取付縁部２の所定位置に、上述した直線状の本縫いからなる補助縫製部８を安定して形成することができる。【０１２７】
その結果、固定用縫製部６の上糸７ａ及び下糸７ｂを補助縫製部８によってエレメント取付縁部２に向けて押さえ付けることができるため、エレメント部材１０をより強固にエレメント取付縁部２に固定することができる。これにより、図２〜図４に示したようにエレメント部材１０が、固定用縫製部６及び補助縫製部８によってエレメント取付縁部２に固定されたエレメント部材付き衣服の左右の衣服構成パーツが作製される。また本実施例１では、上述した左右一対の衣服構成パーツの他に、衣服における左右の袖部や後身頃を構成する不図示の衣服構成パーツなどを作製して準備する。【０１２８】
その後、作製した各部位の衣服構成パーツを互いに縫製等により結合させて、衣服を組み立てる。更に、生地５のエレメント取付縁部２にエレメント部材１０を固定して形成されたエレメント列３に、スライダー４０を摺動可能に取り付ける。これによって、図１に示したようなスライドファスナー付き衣服１が安定して製造される。【０１２９】
このようにして製造された本実施例１のスライドファスナー付き衣服１は、衣服１の生地５の一部が、衣服１を構成するだけでなく、従来のスライドファスナーにおけるファスナーテープとしても機能する。このため、本実施例１のスライドファスナー付き衣服１では、従来のスライドファスナーでは必須構成部品であったファスナーテープの存在を省略した形態（言い換えると、ファスナーテープ無しのスライドファスナーの形態）で、スライドファスナーの機能を有することができる。これにより、スライドファスナー付き衣服１の製造コスト（特に、材料コスト）を低減することができる。また、スライドファスナー付き衣服１を軽量化できるとともに、衣服の柔軟性を向上させることができる。特に、本実施例１の衣服１の場合、衣服１の前立て部における生地５の表裏方向の柔軟性を高めることができる。【０１３０】
また、本実施例１の場合、例えば生地５に防水性や撥水性などのような所望の機能を付与した上で、当該生地５にエレメント部材１０を直接固定することが可能である。このため、防水性や撥水性などを備えた高品質のスライドファスナー付き衣服１を容易に製造することも可能となる。【０１３１】
更に、本実施例１のスライドファスナー付き衣服１では、衣服１のエレメント取付縁部２をスライダー４０のフランジ部４５から保護する保護部が、上述したように、固定用縫製部６の縫製糸７（上糸７ａ及び下糸７ｂ）と、補助縫製部８の縫製糸７（補助用上糸及び補助用下糸）とによって形成されている。これにより、スライダー４０の摺動操作が繰り返し行われても、そのスライダー４０の摺動に起因して衣服のエレメント取付縁部２に生じる摩耗を抑制し、生地５を傷み難くすることができる。その結果、衣服１の耐久性（特に生地５のエレメント取付縁部２における耐久性）を向上させることができる。【０１３２】
なお、上述した実施例１の場合、スライドファスナー付き衣服１の製造において、前身頃用の生地パーツを所定の形状に裁断した後に、縫製によるエレメント部材１０の固定が行われている。しかし、本発明では、裁断前の生地５に対して、縫製によりエレメント部材１０を所定の位置に固定し、その後、エレメント部材付きの生地５を所定の形状に裁断することによって、エレメント部材付きの衣服構成パーツを作製することも可能である。【０１３３】
また、本実施例１のエレメント部材１０では、生地５のエレメント取付縁部２にファスナーエレメント１１を所定の姿勢でしっかりと固定するために、上述したように各ファスナーエレメント１１の側面部に、生地５のエレメント取付縁部２の一部を挿入することが可能な挿入凹部１２ｅが設けられている。しかし本発明では、挿入凹部１２ｅが側面部に設けられていない複数のファスナーエレメントを固定部材１５に一体的に形成することによって、エレメント部材を作製することも可能である。【０１３４】
更に、上述した実施例１において千鳥縫いミシンにより形成される固定用縫製部６は、図２に示したように、上糸７ａ及び下糸７ｂが幅方向に対して斜めに走行する傾斜部分を有する第１走行部１７ａ及び第３走行部１７ｃと、上糸７ａ及び下糸７ｂが長さ方向に沿って走行する第２走行部１７ｂとを有する単位走行領域１７が繰り返されて形成される。特にこの場合、固定用縫製部６は、ファスナーエレメント１１の生地対向側面部と、固定用縫製部６におけるファスナーエレメント１１の側面部よりも生地５の内方側に形成される部分とが、平面視において等脚台形の形状を呈するように形成される。【０１３５】
しかし本発明において、固定用縫製部６の単位走行領域１７の形状はこれに限定されるものではなく、固定用縫製部を千鳥縫いミシンを用いてその他の形状で形成することも可能である。例えば図６に実施例１の変形例に係る固定用縫製部６ａを示すように、この固定用縫製部６ａの単位走行領域１９は、上糸７ａ及び下糸７ｂが固定部材１５の外周面で交差する外周交差位置から最初の第１刺通位置１８ａまで幅方向に沿って直線状に走行する第１走行部１９ａと、上糸７ａ及び下糸７ｂが第１刺通位置１８ａから次の第２刺通位置１８ｂまで長さ方向に沿って直線状に走行する第２走行部１９ｂと、上糸７ａ及び下糸７ｂが第２刺通位置１８ｂから次の外周交差位置まで幅方向に沿って直線状に走行する第３走行部１９ｃとを有していても良い。【０１３６】
図６に示すような単位走行領域１９が繰り返されて固定用縫製部６ａが形成されることによっても、その固定用縫製部６ａが生地５のエレメント取付縁部２を刺通するとともにエレメント部材１０の固定部材１５を固定部材１５の少なくとも一部を包み込むように支持することができるため、エレメント部材１０を生地５のエレメント取付縁部２にしっかりと安定して固定することができる。またこの場合、固定用縫製部６ａが長さ方向と幅方向に沿って形成されるため、スライドファスナー付き衣服１の見栄えやデザイン性を高めることも可能となる。
【実施例２】
【０１３７】
図７は、本実施例２に係るスライドファスナー付き衣服の要部を示す平面図である。図８は、本実施例２のエレメント部材を示す斜視図である。
本実施例２のスライドファスナー付き衣服１ａは、ファスナーエレメント２１の形態と固定用縫製部６ｂの縫い目の形態とが、前述の実施例１のスライドファスナー付き衣服１と異ならせて形成されている。しかし、それら以外の部分について、本実施例２のスライドファスナー付き衣服１ａは前述の実施例１のスライドファスナー付き衣服１と実質的に同様に形成されている。【０１３８】
従って、本実施例２においては、前述の実施例１と実質的に同じ構成を有する部品及び部材については同じ符号を用いて表すことによって、その説明を省略することとする。また、後述する実施例３以降の説明においても、それ以前に説明された実施例と実質的に同じ構成を有する部品及び部材ついては同じ符号を用いて表すことによって、その説明を省略することとする。【０１３９】
本実施例２のエレメント部材２０は、複数の合成樹脂製のファスナーエレメント２１が、固定部材１５に一定の間隔で固定されて形成されている。
本実施例２のファスナーエレメント２１は、固定部材１５を包み込むようにして固定部材１５に固定される胴部２２ａと、胴部２２ａから延出する首部２２ｂと、首部２２ｂから更に延出する噛合頭部２２ｃと、首部２２ｂから前方及び後方に薄板状に突出する突片部２２ｄとを有する。噛合頭部２２ｃの先端部には、凹溝部２２ｆが長さ方向に沿って形成されている。この場合、ファスナーエレメント２１の首部２２ｂ、噛合頭部２２ｃ、突片部２２ｄ、凹溝部２２ｆは、前述の実施例１におけるファスナーエレメント１１と実質的に同様に形成されている。従って、本実施例２のファスナーエレメント２１においても、首部２２ｂと噛合頭部２２ｃとによって、噛合相手側のファスナーエレメント１１と係合する噛合部２２ｇが形成されている。【０１４０】
本実施例２の胴部２２ａは、厚さ方向に直交して配される上面部及び下面部と、長さ方向に向いて配される前面部及び後面部と、生地５に対向して配される側面部（生地対向側面部）とを有する。胴部２２ａの上面部と下面部とは互いに平行に配されており、胴部２２ａは一定の厚さ寸法を備える。また、胴部２２ａの側面部（生地対向側面部）には、生地５のエレメント取付縁部２の一部が挿入される図示しない挿入凹部が、エレメント部材２０の長さ方向に沿って設けられている。【０１４１】
本実施例２の胴部２２ａは、ファスナーエレメント２１の平面視において、首部２２ｂに連結するとともに胴部２２ａの前面部及び後面部間の長さ寸法（エレメント部材２０の長さ方向における寸法）が一定の大きさとなる胴先端部２３ａと、胴先端部２３ａからエレメント取付縁部２側に向けて幅方向に延出する漸減部２３ｂとを有する。この漸減部２３ｂは、胴部２２ａの前面部及び後面部間の長さ寸法を、エレメント取付縁部２に近付くにつれて（又は首部２２ｂから離れるにつれて）一定の割合で漸減させて形成されている。【０１４２】
本実施例２の胴部２２ａは、上述のような胴先端部２３ａと漸減部２３ｂとを有するため、この胴部２２ａに配される前面部及び後面部は、エレメント部材２０の幅方向に平行な平行部と、その幅方向に対して傾斜して配される平面状の傾斜部とを有する。【０１４３】
本実施例２では、胴部２２ａに漸減部２３ｂが設けられていることにより、エレメント部材２０を固定する固定用縫製部６ｂの縫製糸７（上糸７ａ及び下糸７ｂ）が、ファスナーエレメント２１に対し、例えば前述の実施例１のファスナーエレメント１１の場合に比べて、より重なり難くすることができる。この場合、漸減部２３ｂは、胴部２２ａの全体の幅寸法の１０％以上９０％以下の範囲に、好ましくは４０％以上８５％以下の範囲に設けられている。【０１４４】
ファスナーエレメント２１の漸減部２３ｂが、胴部２２ａの全体の幅寸法の１０％以上、好ましくは４０％以上で設けられていることにより、固定用縫製部６ｂの縫製糸７がファスナーエレメント２１に重なることをより効果的に防止できる。【０１４５】
また、漸減部２３ｂが胴部２２ａの全体の幅寸法の９０％以下、好ましくは８５％以下で設けられていることにより、胴部２２ａの胴先端部２３ａを適切に形成できるとともに、胴部２２ａで固定部材１５を適切に包み込むことができる。それによって、ファスナーエレメント２１の強度やファスナーエレメント２１の固定部材１５に対する固着強度を安定して確保することができる。更に、固定部材１５をファスナーエレメント２１で隠して、見え難くすることができるため、エレメント部材２０の外観品質、更にはスライドファスナー付き衣服１ａの外観品質が高められる。【０１４６】
本実施例２のエレメント部材２０は、生地５のエレメント取付縁部２に対して、前述の実施例１の場合と同様に、幅方向の外側に隣接する位置に並べられて、固定用縫製部６ｂによって固定されている。本実施例２の固定用縫製部６ｂは、ファスナーエレメント２１ごとに形成される単位走行領域２７の形態が前述の実施例１の場合と異なるものの、前述の実施例１の場合と同様に上糸と下糸とを有するとともに、千鳥縫いミシンを用いて長さ方向に対してジグザグ状に折れ曲がって形成されている。【０１４７】
本実施例２の場合、固定用縫製部６ｂの各単位走行領域２７は、固定用縫製部６ｂがエレメント取付縁部２を刺通する第１刺通位置２８ａ及び第２刺通位置２８ｂを有しており、これらの第１刺通位置２８ａ及び第２刺通位置２８ｂは、エレメント部材２０の幅方向に関して、ファスナーエレメント２１の側面部の位置との間に一定の間隔を設けて配されている。【０１４８】
本実施例２の固定用縫製部６ｂは、各単位走行領域２７において、固定部材１５の外周面で上糸と下糸が交差する外周交差位置から最初の第１刺通位置２８ａまで幅方向に対して斜めに配される直線状の第１走行部２７ａと、その第１刺通位置２８ａから次の第２刺通位置２８ｂまで長さ方向に沿って配される直線状の第２走行部２７ｂと、第２刺通位置２８ｂから次の外周交差位置まで幅方向に対して斜めに配される直線状の第３走行部２７ｃとを有する。【０１４９】
上述のように固定用縫製部６ｂの第１走行部２７ａ及び第３走行部２７ｃが、幅方向に対して傾斜した方向に沿って直線状に形成されることにより、千鳥縫いミシンによる縫製をより円滑に行うことが可能となる。また、固定用縫製部６ｂの第１走行部２７ａ及び第３走行部２７ｃが、幅方向に対して傾斜した方向に沿って直線状に形成されるものの、本実施例２のファスナーエレメント２１の胴部２２ａには上述のような漸減部２３ｂが設けられていることにより、固定用縫製部６ｂの縫製糸７（上糸７ａ及び下糸７ｂ）がファスナーエレメント２１に重なることや引っ掛かることを安定して防止できる。それによって、固定用縫製部６ｂの縫製糸７に緩みが生じることを防止し、エレメント部材２０が生地５に固定された状態を安定して維持することができる。【０１５０】
その上、胴部２２ａが上述のような漸減部２３ｂを有することにより、ファスナーエレメント２１が生地５のエレメント取付縁部２に接触する接触領域（接触面積）を、前述の実施例１のファスナーエレメント１１の場合よりも小さくすることができる。それによって、ファスナーエレメント２１と生地５のエレメント取付縁部２との接触が、エレメント取付縁部２の柔軟性に与える影響を小さくし、エレメント取付縁部２の柔軟性をより適切に確保することができる。【０１５１】
このようにエレメント取付縁部２をより柔軟に形成できることにより、スライドファスナー付き衣服１ａの品質を向上させることができる。また、スライダー４０を前方へ摺動させたときに、スライダー４０のエレメント案内路内で左右のファスナーエレメント２１を噛合させ易くすることができる。それによって、スライダー４０の摺動抵抗を低減させ、スライダー４０の摺動性や操作性の向上を図ることができる。【０１５２】
また本実施例２において、生地５の左右のエレメント取付縁部２には、前述の実施例１の場合と同様に、スライダー４０のフランジ部４５に対面するフランジ対面領域（スライダー対面領域）が、長さ方向に沿って配されている。本実施例２の固定用縫製部６ｂは、エレメント取付縁部２をスライダー４０との接触から保護する保護部として、エレメント取付縁部２のフランジ対面領域を横切って配されている。これにより、スライダー４０の摺動操作が繰り返し行われても、スライダー４０のフランジ部４５によってエレメント取付縁部２を摩耗させ難くすることができるため、エレメント取付縁部２の耐久性を向上させることができる。【０１５３】
更に、上述のようなファスナーエレメント２１及び固定用縫製部６ｂを有する本実施例２のスライドファスナー付き衣服１ａは、ファスナーテープを介在させずに形成されているため、前述の実施例１のスライドファスナー付き衣服１と同様の効果を得ることができる。
【実施例３】
【０１５４】
図９及び図１０は、本実施例３に係るスライドファスナー付き衣服の要部を示す平面図及び底面図である。また、図１１は、実施例３のエレメント部材の断面図である。
本実施例３のスライドファスナー付き衣服１ｂは、ファスナーエレメント３１の形態を、前述の実施例１のスライドファスナー付き衣服１のファスナーエレメント１１と異ならせて形成されている。なお、本実施例３のスライドファスナー付き衣服１ｂにおいて、ファスナーエレメント３１以外の部分については前述の実施例１のスライドファスナー付き衣服１と実質的に同様に形成されている。【０１５５】
本実施例３のエレメント部材３０における各ファスナーエレメント３１は、厚さ方向の略中心の高さ位置を基準にして区別されるエレメント上半部（第１エレメント半部）３２とエレメント下半部（第２エレメント半部）３４とを有する。また、エレメント上半部３２とエレメント下半部３４とは、互いに異なる形状を有する。すなわち、本実施例３のファスナーエレメント３１は、前述の実施例１のファスナーエレメント１１や実施例２のファスナーエレメント２１と異なり、上下方向に非対称的な形状を有する。この場合、エレメント上半部３２の上面とエレメント下半部３４の下面とは、厚さ方向に直交するとともに互いに平行に配されている。【０１５６】
本実施例３のエレメント上半部３２は、エレメント下半部３４との間に固定部材１５を挟持する上側胴部（第１胴部）３２ａと、その上側胴部３２ａから幅方向に延出する先細形状の上側頭部（第１頭部）３２ｂとを有する。【０１５７】
上側胴部３２ａは、上側頭部３２ｂに連結するとともに一定の長さ寸法を備えた上側胴先端部３３ａと、その上側胴先端部３３ａからエレメント取付縁部２側に向けて幅方向に延出する上側漸減部３３ｂとを有しており、上側漸減部３３ｂは、エレメント取付縁部２に近付くにつれて長さ寸法が漸減する形状を有する。また、上側頭部３２ｂは、ファスナーエレメント３１の平面視において略三角形を呈するように、上側頭部３２ｂの長さ寸法を先端部（頂端部）に向けて漸減させて形成されている。【０１５８】
本実施例３のエレメント下半部３４は、下側胴部（第２胴部）３４ａと、下側胴部３４ａから幅方向に延出するとともに括れた形状を有する下側首部（第２首部）３４ｂと、下側首部３４ｂから更に幅方向に延出する下側噛合頭部（第２噛合頭部）３４ｃとを有する。このような本実施例３のエレメント下半部３４では、下側首部３４ｂと下側噛合頭部３４ｃとにより、噛合相手側のファスナーエレメント３１のエレメント下半部３４と係合する噛合部３４ｇが形成される。【０１５９】
下側胴部３４ａは、下側首部３４ｂに連結するとともにその長さ寸法をエレメント取付縁部２側に向けて漸増させる下側胴先端部３５ａと、その下側胴先端部３５ａからエレメント取付縁部２側に向けて幅方向に延出するとともに長さ寸法がエレメント取付縁部２に近付くにつれて漸減する下側漸減部３５ｂとを有する。【０１６０】
本実施例３のファスナーエレメント３１では、一定の長さ寸法を備えた上側胴先端部３３ａが上側頭部３２ｂに形成されているとともに、長さ寸法をエレメント取付縁部２側に向けて漸増させる下側胴先端部３５ａが下側胴部３４ａに形成されていることにより、ファスナーエレメント３１の固定部材１５に対する固着強度を適切に確保することができる。【０１６１】
更に本実施例３のファスナーエレメント３１では、エレメント取付縁部２側に向けて長さ寸法を漸減する上側漸減部３３ｂと下側漸減部３５ｂとが、上側頭部３２ｂ及び下側胴部３４ａにそれぞれ形成されていることにより、エレメント部材３０を固定する固定用縫製部６の縫製糸７（上糸７ａ及び下糸７ｂ）が、ファスナーエレメント３１に重なることや引っ掛かることを防いでいる。【０１６２】
特に本実施例３のファスナーエレメント３１の場合、ファスナーエレメント３１の上側漸減部３３ｂ及び下側漸減部３５ｂに配される前面部及び後面部は、ファスナーエレメント３１の平面視において湾曲状を呈するような曲面に形成されており、それによって、ファスナーエレメント３１の外観品質を高めている。【０１６３】
上述のようなファスナーエレメント３１を有する本実施例３のスライドファスナー付き衣服１ｂは、ファスナーテープを介在させずに形成されているため、前述の実施例１のスライドファスナー付き衣服１と同様の効果を得ることができる。また、本実施例３の固定用縫製部６は、前述の実施例１の場合と同様に保護部としても形成されているため、エレメント取付縁部２をスライダーとの接触から保護することができる。
【実施例４】
【０１６４】
図１２は、実施例４に係るスライドファスナー付き衣服の要部を示す断面図である。
本実施例４のスライドファスナー付き衣服１ｃでは、エレメント部材１０ａを生地５のエレメント取付縁部２に固定する構造が、前述の実施例１〜実施例３の構造（所謂通常タイプのスライドファスナーの構造）と異なる。すなわち、本実施例４のスライドファスナー付き衣服１ｃでは、エレメント部材１０ａがエレメント取付縁部２の裏面（下面）に固定されることによりエレメント列が衣服の外面側から見え難いように配される所謂裏使いタイプでスライドファスナーが形成されている。【０１６５】
具体的に説明すると、本実施例４のスライドファスナー付き衣服１ｃでは、左右のエレメント取付縁部２の下面に、エレメント部材１０ａが固定用縫製部６ｃによって直接固定されている。また、スライダー５０は、後述するように裏使いタイプのスライドファスナー用スライダーとして形成されており、エレメント部材１０ａの複数のファスナーエレメント１１ａによって形成されるエレメント列に摺動可能に取り付けられている。【０１６６】
本実施例４における生地５のエレメント取付縁部２は、前述の実施例１のエレメント取付縁部２と同様に、生地５の側縁部が下面側にＵ字状に折り返されることによって形成されている。また、本実施例４のエレメント取付縁部２の上面には、スライダー５０の後述する上翼板５３の内面（エレメント案内面）に対面するスライダー対面領域が、長さ方向に沿って連続的に配されている。【０１６７】
本実施例４のエレメント部材１０ａは、複数の独立した合成樹脂製のファスナーエレメント１１ａと、これら複数のファスナーエレメント１１ａを一定の間隔で連結する１本の固定部材１５とを有する。このエレメント部材１０ａでは、各ファスナーエレメント１１ａに、前述の実施例１のファスナーエレメント１１に配される挿入凹部１２ｅが設けられていないものの、それ以外の構成について本実施例４のエレメント部材１０ａは前述の実施例１のエレメント部材１０と同様に形成されている。【０１６８】
本実施例４のエレメント部材１０ａは、生地５のエレメント取付縁部２に対して、エレメント取付縁部２の下面側に重ねられた状態で、本縫いで形成される固定用縫製部６ｃによって固定されている。この場合、エレメント部材１０ａを固定する固定用縫製部６ｃは、千鳥縫いミシンの縫製によりジグザグ状に形成されている。【０１６９】
また、この固定用縫製部６ｃは、固定用縫製部６ｃの縫製糸７がエレメント部材１０ａの固定部材１５を包むように保持するとともに、その固定部材１５の左右両側の位置でエレメント取付縁部２を刺通することによって、エレメント部材１０ａを生地５のエレメント取付縁部２に固定している。また、固定用縫製部６ｃがエレメント取付縁部２を刺通する刺通位置では、縫製糸７の上糸（針糸）と下糸（ボビン糸）とが互いに交差している。【０１７０】
本実施例４において、固定用縫製部６ｃの縫製糸７は、エレメント取付縁部２の上面に、ジグザグ状の縫い目を形成しながら長さ方向に沿って配されている。この場合、ジグザグ状に形成される固定用縫製部６ｃは、エレメント取付縁部２の上面に露出するとともに、その上面に配される上述したスライダー対面領域の一部を覆うように形成されている。このジグザグ状の固定用縫製部６ｃによって、エレメント取付縁部２の上面をスライダー５０の一部（本実施例４の場合は後述する上翼板５３の一部）との接触から保護する保護部が形成されている。【０１７１】
本実施例４のスライダー５０は、その一部を図１２に示すように、スライダー胴体５１と、図示しない引手とを有する。スライダー胴体５１は、上翼板５３と、上翼板５３と離間して平行に配される下翼板５４と、上翼板５３及び下翼板５４の前端部（肩口側端部）間を連結する図示しない連結柱と、下翼板５４の左右側縁部から上翼板５３に向けて延出するフランジ部５５と、上翼板５３の上面に配されるとともに引手を保持する図示しない引手取付部とを有する。【０１７２】
スライダー胴体５１の前端部には、連結柱を間に挟んで左右の肩口が形成され、スライダー胴体５１の後端部には後口が形成されている。また、上翼板５３と下翼板５４の間には、左右の肩口と後口とを連通する略Ｙ字形状のエレメント案内路が形成されている。【０１７３】
以上のような本実施例４のスライドファスナー付き衣服１ｃは、ファスナーテープを用いずに形成されているため、前述の実施例１〜実施例３の場合と同様に、製造コストの削減、衣服の軽量化、及び衣服の柔軟性の向上といった効果が得られる。また、防水性や撥水性などを備えた高品質のスライドファスナー付き衣服１ｃを容易に製造することも可能となる。【０１７４】
更に本実施例４では、衣服のエレメント取付縁部２の上面に、スライダー５０の上翼板５３との接触から保護する保護部が、ジグザグ状の固定用縫製部６ｃによって形成されているため、スライダー５０の摺動に起因するエレメント取付縁部２の傷みを生じ難くすることができる。
【実施例５】
【０１７５】
図１３は、実施例５に係るスライドファスナー付き衣服の要部を示す断面図である。
本実施例５のスライドファスナー付き衣服１ｄでは、エレメント部材１０ｂを生地５のエレメント取付縁部４に固定する構造が、前述の実施例１〜実施例３のような通常タイプや実施例４のような裏使いタイプのスライドファスナーの構造と異なる。本実施例５のスライドファスナー付き衣服１ｄでは、複数のファスナーエレメント１１ａと、エレメント部材１０ｂを固定する固定用縫製部６ｄとが、衣服の生地５によって覆い隠されて見え難くなる所謂隠しタイプでスライドファスナーが形成されている。【０１７６】
具体的に説明すると、本実施例５のスライドファスナー付き衣服１ｄでは、生地５の側縁部がＵ字状に折り返されており、その折り返された折り返し部分（折り返し片部）のみにより、エレメント部材１０ｂを取着するエレメント取付縁部４が形成されている。エレメント部材１０ｂは、その折り返されたエレメント取付縁部４の下面に、固定用縫製部６ｄによって直接固定されている。【０１７７】
本実施例５において、各ファスナーエレメント１１ａの噛合頭部１２ｃは、生地５のＵ字状に折り曲げられた折曲部の位置よりも幅方向の外側（噛合相手のエレメント部材１０ｂ側）に突出している。また、スライダー６０は、後述するような逆Ｌ字型の左右のフランジ部６５を備えた隠しタイプのスライドファスナー用スライダーとして形成されている。このスライダー６０は、エレメント部材１０ｂの複数のファスナーエレメント１１ａによって形成されるエレメント列に摺動可能に取り付けられている。【０１７８】
本実施例５における生地５を折り返して形成されるエレメント取付縁部４は、エレメント部材１０ｂが固定される下面と、その下面の反対側に配されるとともに折り返された生地５の内周面により形成される上面とを有する。このエレメント取付縁部４の上面には、スライダー６０における後述するフランジ部６５の横壁部６５ｂの内面に対面するフランジ対面領域（スライダー対面領域）が、長さ方向に沿って連続的に配されている。【０１７９】
本実施例５のエレメント部材１０ｂは、複数の独立した合成樹脂製のファスナーエレメント１１ａと、これら複数のファスナーエレメント１１ａが一定の間隔で固定される１本の固定部材１５とを有する。本実施例５のファスナーエレメント１１ａは、前述の実施例１のような挿入凹部１２ｅが設けられていないものの、それ以外は前述の実施例１のファスナーエレメント１１と同様の形状で形成されている。すなわち、本実施例５のファスナーエレメント１１ａは、前述の本実施例４のファスナーエレメント１１ａと同様に形成されている。【０１８０】
本実施例５の固定部材１５は、ファスナーエレメント１１ａに対して、厚さ方向の中央部の位置ではなく、厚さ方向の上側に変位させた位置（エレメント取付縁部に近付いた位置）に配されている。この場合、固定部材１５の外周全体は、ファスナーエレメント１１ａによって覆われている。【０１８１】
本実施例５のエレメント部材１０ｂは、生地５の折り返し部であるエレメント取付縁部４に対し、そのエレメント取付縁部４の下面側に重ねられた状態で、本縫いで形成される固定用縫製部６ｄによって固定されている。この場合、エレメント部材１０ｂを固定する固定用縫製部６ｄは、千鳥縫いミシンの縫製によりジグザグ状に形成されている。【０１８２】
また、この固定用縫製部６ｄは、固定用縫製部６ｄの縫製糸７がエレメント部材１０ｂの固定部材１５を包むように保持するとともに、その固定部材１５の左右両側の位置でエレメント取付縁部４を刺通することによって、エレメント部材１０ｂを生地５のエレメント取付縁部４に固定している。また、固定用縫製部６ｄがエレメント取付縁部４を刺通する刺通位置では、縫製糸７の上糸（針糸）と下糸（ボビン糸）とが互いに交差している。【０１８３】
本実施例５において、固定用縫製部６ｄの縫製糸７は、エレメント取付縁部４の上面に、ジグザグ状の縫い目を形成しながら長さ方向に沿って配されている。この場合、エレメント取付縁部４の上面にジグザグ状に形成される固定用縫製部６ｄは、当該上面に配される上述したフランジ対面領域（スライダー対面領域）を覆うように形成されている。このジグザグ状の固定用縫製部６ｄによって、エレメント取付縁部４の上面をスライダー６０のフランジ部６５との接触から保護する保護部が形成されている。【０１８４】
本実施例５のスライダー６０は、その一部を図１３に示すように、スライダー胴体６１と、図示しない引手とを有する。スライダー胴体６１は、下翼板６４と、下翼板６４の左右両側縁部に立設される逆Ｌ字型の左右一対のフランジ部６５と、下翼板６４の前端部（肩口側端部）における幅方向の中央部に立設される図示しない中央柱部と、中央柱部の上端部から下翼板６４と平行な方向に張り出す張出部６３と、中央柱部の上面に配されるとともに引手を保持する図示しない引手取付部とを有する。【０１８５】
スライダー胴体６１のフランジ部６５は、下翼板６４の左右両側縁部から起立する縦壁部６５ａと、縦壁部６５ａの上端部から幅方向の内側に向けて延出する横壁部６５ｂとを有する。また、スライダー胴体６１における張出部６３とフランジ部６５の横壁部６５ｂとの間には、生地５を挿通させる挿通間隙が形成されている。【０１８６】
スライダー胴体６１の前端部には、中央柱部を間に挟んで左右の肩口が形成され、スライダー胴体６１の後端部には後口が形成されている。また、左右の肩口と後口とを連通する略Ｙ字形状のエレメント案内路が、下翼板６４、左右のフランジ部６５、及び張出部６３に囲まれて形成されている。【０１８７】
以上のような本実施例５のスライドファスナー付き衣服１ｄは、ファスナーテープを用いずに形成されているため、前述の実施例１〜実施例４の場合と同様に、製造コストの削減、衣服の軽量化、及び衣服の柔軟性の向上といった効果が得られる。また、防水性や撥水性などを備えた高品質のスライドファスナー付き衣服１ｄを容易に製造することも可能となる。【０１８８】
更に本実施例５では、エレメント取付縁部４の上面に、スライダー６０のフランジ部６５（横壁部６５ｂ）との接触から保護する保護部が、ジグザグ状の固定用縫製部６ｄによって形成されているため、スライダー６０の摺動に起因するエレメント取付縁部４の傷みを生じ難くすることができる。
【実施例６】
【０１８９】
図１４は、本実施例６に係るスライドファスナー付き衣服の要部を示す平面図である。図１５は、エレメント部材とスライダーとの関係を模式的に説明する断面図である。図１６は、本実施例６のエレメント部材を示す斜視図である。【０１９０】
本実施例６のスライドファスナー付き衣服１ｅは、エレメント部材８０に配される各ファスナーエレメント８１の形態、スライダー７０の形態、及び保護部の形態を、前述の実施例１のスライドファスナー付き衣服１を異ならせて形成されているが、それら以外の部分について本実施例６のスライドファスナー付き衣服１ｅは前述の実施例１のスライドファスナー付き衣服１と実質的に同様に形成されている。【０１９１】
本実施例６のエレメント部材８０は、射出成形された複数の合成樹脂製のファスナーエレメント８１が、固定部材１５に一定の間隔で固定されて形成されている。
本実施例６のファスナーエレメント８１は、厚さ方向の中心位置を基準にして、上下方向に対称的な形状を有する。また、ファスナーエレメント８１は、固定部材１５を包み込むようにして固定部材１５に固定される胴部８２ａと、胴部８２ａから延出する首部８２ｂと、首部８２ｂから更に延出する噛合頭部８２ｃと、首部８２ｂから前方及び後方に薄板状に突出する突片部８２ｄとを有する。【０１９２】
胴部８２ａにおける厚さ方向の中央部には、固定部材１５が、長さ方向に沿って貫通している。胴部８２ａの生地５に対向する側面部には、エレメント取付縁部２の一部が挿入される挿入凹部８２ｅが長さ方向に沿って形成されている。噛合頭部８２ｃの先端部には、凹溝部８２ｆが長さ方向に沿って形成されている。【０１９３】
また、本実施例６のファスナーエレメント８１は、厚さ寸法（厚さ方向の寸法）が互いに異なる第１エレメント部８３ａと第２エレメント部８３ｂとを有する。この場合、第１エレメント部８３ａの上面部及び下面部と、第２エレメント部８３ｂの上面部及び下面部とは、それぞれ厚さ歩方向に直交する平面により形成されている。【０１９４】
ファスナーエレメント８１の第１エレメント部８３ａは、首部８２ｂの少なくとも一部と噛合頭部８２ｃとを含むとともに、厚さ寸法を第２エレメント部８３ｂよりも大きくして形成されている。第１エレメント部８３ａの厚さ寸法は、スライダー７０の後述する上翼板７３の内面と下翼板７４の内面との間の上下方向における間隔に対応して設定される。【０１９５】
ファスナーエレメント８１の第２エレメント部８３ｂは、第１エレメント部８３ａから段差８３ｃを介して幅方向の生地５に近付く向き（言い換えると、噛合頭部８２ｃから離間する向き）に延出し、胴部８２ａの少なくとも一部を含んで形成されている。この第２エレメント部８３ｂの厚さ寸法は、上記段差８３ｃを介して第１エレメント部８３ａの厚さ寸法よりも小さく設定されるとともに、スライダー７０の後述する上側のフランジ部７５と下側のフランジ部７５間に形成される挿通間隙の大きさに対応して設定される。【０１９６】
この場合、第１エレメント部８３ａと第２エレメント部８３ｂとの境界に配される段差８３ｃは、第１エレメント部８３ａの厚さ寸法と第２エレメント部８３ｂの厚さ寸法との差により形成され、且つ、ファスナーエレメント８１の上面側と下面側の両方に対称的に形成されている。【０１９７】
また本実施例６の各ファスナーエレメント８１には、上記段差８３ｃの段差面と第２エレメント部８３ｂの上面とにより、及び上記段差８３ｃの段差面と第２エレメント部８３ｂの下面とにより、スライダー７０の上側のフランジ部７５及び下側のフランジ部７５をそれぞれ受け入れて挿通させることが可能な上下のフランジ用凹部８３ｄが、上側のフランジ部７５及び下側のフランジ部７５の位置にそれぞれ対応して形成されている。この場合、上側のフランジ用凹部８３ｄは、上下方向に関して、図１５に示すように、固定部材１５の上端よりも上側に、更にはその固定部材１５を保持する固定用縫製部６の位置よりも上側に形成されている。また、下側のフランジ用凹部８３ｄは、上下方向に関して、固定部材１５の下端よりも下側に、更にはその固定部材１５を保持する固定用縫製部６の位置よりも下側に形成されている。【０１９８】
本実施例６のスライダー７０は、その一部を図１５に示すように、スライダー胴体７１と、そのスライダー胴体７１に保持される図示しない引手とを有する。本実施例１のスライダー胴体７１は、上翼板７３と、上翼板７３と離間して平行に配される下翼板７４と、上翼板７３及び下翼板７４の前端部（肩口側端部）間を連結する図示しない連結柱と、上翼板７３及び下翼板７４の左右側縁部に配される上下のフランジ部７５と、上翼板７３の上面に配されるとともに引手を保持する図示しない引手取付部とを有する。【０１９９】
本実施例６のスライダー胴体７１の前端部には、連結柱を間に挟んで左右の肩口が形成され、スライダー胴体７１の後端部には後口が形成されている。また、上翼板７３及び下翼板７４間には、左右の肩口と後口とを連通する略Ｙ字形状のエレメント案内路が形成されている。更に、スライダー胴体７１における上下のフランジ部７５間には、ファスナーエレメント８１の第２エレメント部８３ｂを挿通させる挿通間隙が形成されている。【０２００】
特に本実施例６のスライダー胴体７１は、例えば前述の実施例１のスライダー胴体４１に比べて、左右のフランジ部７５間の間隔を小さくするとともに、上側のフランジ部７５と下側のフランジ部７５との間の間隔を大きくして形成されている。【０２０１】
また、本実施例６のスライダー７０における上下のフランジ部７５は、ファスナーエレメント８１との関係において、各ファスナーエレメント８１に設けられる上述のフランジ用凹部８３ｄに対応する形状及び大きさを有する。言い換えると、ファスナーエレメント８１とスライダー７０のフランジ部７５とについて長さ方向に直交する断面を見たときに、スライダー７０のフランジ部７５は、ファスナーエレメント８１のフランジ用凹部８３ｄと同じ断面形状又は対応する断面形状を有する。また、スライダー７０のフランジ部７５は、ファスナーエレメント８１のフランジ用凹部８３ｄ内に収容可能で且つ第１エレメント部８３ａと第２エレメント部８３ｂとの間の段差８３ｃに係合可能な大きさを有する。【０２０２】
上述のような本実施例６のスライドファスナー付き衣服１ｅにおいて、各ファスナーエレメント８１の上面側と下面側とに配されるそれぞれのフランジ用凹部８３ｄは、長さ方向に直交する断面が一定の形状を有するように形成されている。このように複数のファスナーエレメント８１に形成されたフランジ用凹部８３ｄは、衣服のエレメント取付縁部２を、スライダー７０の上下のフランジ部７５から保護する保護部として設けられている。【０２０３】
具体的に説明すると、複数のファスナーエレメント８１が等間隔で固定されたエレメント部材８０においては、各ファスナーエレメント８１に形成されたフランジ用凹部８３ｄによって、スライダー７０の上下のフランジ部７５を通過させることが可能な通路が、エレメント部材８０の長さ方向に沿って形成される。これによって、スライダー７０の摺動時には、上下のフランジ部７５が、衣服のエレメント取付縁部２から離れて配されるファスナーエレメント８１のフランジ用凹部８３ｄ内を移動するため、上下のフランジ部７５が衣服のエレメント取付縁部２に直接摺接することを防止できる。【０２０４】
従って、本実施例６のスライドファスナー付き衣服１ｅでは、スライダー７０の摺動操作が繰り返し行われても、そのスライダー７０の摺動に起因して衣服のエレメント取付縁部２に摩耗が生じることはなく、また、スライダー７０の摺動に起因して固定用縫製部６及び補助縫製部８に摩耗が生じることも防止できる。このため、衣服の耐久性（特に生地５のエレメント取付縁部２における耐久性）を大幅に向上させることができる。【０２０５】
また、本実施例６のスライドファスナー付き衣服１ｅは、前述の実施例１〜実施例５の場合と同様に、ファスナーテープを用いずに形成されているため、製造コストの削減、衣服の軽量化、及び衣服の柔軟性の向上といった効果が得られる。更に、防水性や撥水性などを備えた高品質のスライドファスナー付き衣服１ｅを容易に製造することも可能となる。【０２０６】
なお、前述した実施例１〜実施例３及び実施例６のスライドファスナー付き衣服１，１ａ，１ｂ，１ｅにおいては、エレメント部材１０，２０，３０，８０が、生地５のエレメント取付縁部２に対して幅方向の外側に隣接する位置に、千鳥縫いミシンにより形成されるジグザグ状の固定用縫製部６，６ｂと、本縫いミシンにより形成される補助縫製部８とによって、しっかりと固定されている。【０２０７】
しかし本発明では、例えば図１７に実施例１の別の変形例に係るスライドファスナー付き衣服１ｆを示すように、本縫いミシンにより形成される上述の補助縫製部８を形成せずに、エレメント部材１０が、ジグザグ状の固定用縫製部６のみによって生地５のエレメント取付縁部２に固定されていても良い。【０２０８】
またこの場合、ジグザグ状の固定用縫製部６を形成する上糸（針糸）及び下糸（ボビン糸）の少なくとも一方に、前述の実施例１のような通常のミシン糸ではなく、芯鞘構造を有する溶着糸（融着糸とも言う）を用いることもできる。この芯鞘構造を有する溶着糸では、溶着糸の芯部が、所定の温度以上に加熱されても溶融しない繊維材料、又は加熱によって収縮する熱収縮性を備えた繊維材料によって形成される。溶着糸の鞘部は、所定の温度以上に加熱されることによって溶融する熱融着性を備えた繊維材料によって形成される。【０２０９】
このような芯鞘構造を有する溶着糸が、固定用縫製部６の上糸及び下糸の少なくとも一方に用いられる場合、固定用縫製部６の形成後に加熱処理が行われることにより、前述の実施例１等の場合のような補助縫製部８が形成されていなくても、固定用縫製部６によるエレメント部材１０の固定を強固にしっかりと行うことができる。また、その固定用縫製部６の上糸及び下糸に弛みが生じることも効果的に防止できる。【０２１０】
更に本発明では、例えば図１８及び図１９に実施例１の更に別の変形例に係るスライドファスナー付き衣服１ｇを示すように、本縫いミシンにより形成される補助縫製部８を形成せずに、ジグザグ状に形成される固定用縫製部６の上に、その固定用縫製部６を生地５のエレメント取付縁部２に固定するための透明のフィルム部材（テープ部材）９を貼着することも可能である。なお、このフィルム部材９は、固定用縫製部６の縫製糸７を固定するための糸固定用フィルム部材と言うこともできる。この場合、フィルム部材９は、固定用縫製部６の第１刺通位置１８ａ及び第２刺通位置１８ｂを含む固定用縫製部６の少なくとも一部を被覆するように、エレメント取付縁部２の表面と裏面の少なくとも一方の面に貼着される。【０２１１】
これにより、固定用縫製部６の上糸７ａ及び下糸７ｂの少なくとも一方をエレメント取付縁部２に強固に固定することができる。従って、固定用縫製部６の上に前述の補助縫製部８が形成されていなくても、固定用縫製部６によるエレメント部材１０の固定を強固にすることができる。【０２１２】
また、図１８及び図１９に示したスライドファスナー付き衣服１ｇにおいては、エレメント取付縁部２の上面に、スライダー４０のフランジ部４５との接触から保護する保護部が、ジグザグ状の固定用縫製部６によって形成されている。その上、フィルム部材９が、保護部となる固定用縫製部６を被覆するようにエレメント取付縁部２の上面と下面とに貼着されている。これにより、フィルム部材９は、保護部として機能する固定用縫製部６とともに、衣服のエレメント取付縁部２を、スライダー４０のフランジ部４５との接触からより安定して保護することができる。【０２１３】
なお本発明では、上述のようなフィルム部材９を貼着する代わりに、そのフィルム部材９が貼着される範囲に、接着剤を塗布する又はコーティングすることによって、固定用縫製部６の上糸７ａ及び下糸７ｂをエレメント取付縁部２に接着して強固に固定することも可能である。【０２１４】
また本発明では、例えば固定用縫製部が生地のエレメント取付縁部を刺通する刺通位置を、ファスナーエレメントの生地対向側面部から生地の内側に向けて、実施例１等の場合よりも大きく離間させることも可能である。この場合、固定用縫製部の各単位走行領域において、固定用縫製部がエレメント取付縁部を刺通する刺通位置を、図２等に示すような２つではなく、１つに減らした形態で固定用縫製部をジグザグ状に形成することもできる。また、各単位走行領域において、固定用縫製部がエレメント取付縁部を刺通する刺通位置を例えば３つ以上に増やすことも可能である。【０２１５】
更に、上述した実施例１〜実施例４及び実施例６では、生地５の側縁部がＵ字状に折り返されてエレメント取付縁部２が形成されており、それによって、エレメント取付縁部２の強度が高められている。また、生地５の裁断端縁（側端縁）に解れが生じている場合には、その解れをエレメント取付縁部２の裏面側に隠して見えないようにすることもできる。【０２１６】
しかし本発明では、生地５の側縁部をＵ字状に折り返すことなく、幅方向にまっすぐに延ばした状態でエレメント取付縁部が形成されていても良い。また、生地５の側縁部を幅方向にまっすぐに延ばしてエレメント取付縁部を形成する場合には、その生地５の側縁部に補強剤を含浸することや、生地５の側縁部に合成樹脂製の補強用フィルム部材を、当該側縁部を内側に包み込むように貼り付けることによって、まっすぐに形成されるエレメント取付縁部の強度を安定して高めることが可能である。【０２１７】
この場合、生地５に含浸する補強剤は硬化型の接着剤であり、このような補強剤としては、例えば、１液硬化型接着剤、２液硬化型接着剤、瞬間接着剤、ホットメルト型接着剤、エマルジョン系接着剤、又は、紫外線や電子線等によって硬化する光硬化型接着剤等を使用することができる。また、生地５に貼り付ける補強用フィルム部材は、貼着することにより生地５の強度を高めることが可能なフィルム状の部材である。この補強用フィルム部材には、伸縮性が少ないフィルム部材又は伸縮しないフィルム部材が使用されることが好ましい。【０２１８】
このように補強剤の含浸や補強用フィルム部材の貼着によってエレメント取付縁部が補強されることによっても、例えば固定用縫製部の上糸及び下糸がエレメント取付縁部に刺通していても、その上糸及び下糸によってエレメント取付縁部が切断され難くすることができるため、エレメント取付縁部の耐久性を高めることができる。【０２１９】
また、まっすぐな状態のエレメント取付縁部にエレメント部材がしっかりと固定されるため、そのエレメント取付縁部に固定された各エレメントの位置及び姿勢を安定させることができる。更に、エレメント取付縁部に補強剤を含浸することや補強用フィルム部材を貼着することによって、エレメント取付縁部の側端縁に糸の解れを生じさせ難くすることができる。
【符号の説明】
【０２２０】
１，１ａ，１ｂ    スライドファスナー付き衣服（製品）
１ｃ，１ｄ，１ｅ  スライドファスナー付き衣服（製品）
１ｆ，１ｇ        スライドファスナー付き衣服（製品）
２                エレメント取付縁部
２ａ              フランジ対面領域（スライダー対面領域）
３                エレメント列
４                エレメント取付縁部
５                生地（ファスナー被着部材）
６，６ａ，６ｂ    固定用縫製部
６ｃ，６ｄ        固定用縫製部
７                縫製糸
７ａ              上糸（針糸）
７ｂ              下糸（ボビン糸）
８                補助縫製部
９                フィルム部材（テープ部材）
１０，１０ａ        エレメント部材
１０ｂ              エレメント部材
１１，１１ａ        ファスナーエレメント
１２ａ              胴部
１２ｂ              首部
１２ｃ              噛合頭部
１２ｄ              突片部
１２ｅ              挿入凹部
１２ｆ              凹溝部
１２ｇ              噛合部
１５                固定部材
１７                単位走行領域
１７ａ              第１走行部
１７ｂ              第２走行部
１７ｃ              第３走行部
１８ａ              第１刺通位置
１８ｂ              第２刺通位置
１９                単位走行領域
１９ａ              第１走行部
１９ｂ              第２走行部
１９ｃ              第３走行部
２０                エレメント部材
２１                ファスナーエレメント
２２ａ              胴部
２２ｂ              首部
２２ｃ              噛合頭部
２２ｄ              突片部
２２ｆ              凹溝部
２２ｇ              噛合部
２３ａ              胴先端部
２３ｂ              漸減部
２７                単位走行領域
２７ａ              第１走行部
２７ｂ              第２走行部
２７ｃ              第３走行部
２８ａ              第１刺通位置
２８ｂ              第２刺通位置
３０                エレメント部材
３１                ファスナーエレメント
３２                エレメント上半部（第１エレメント半部）
３２ａ              上側胴部（第１胴部）
３２ｂ              上側頭部（第１頭部）
３３ａ              上側胴先端部
３３ｂ              上側漸減部
３４                エレメント下半部（第２エレメント半部）
３４ａ              下側胴部（第２胴部）
３４ｂ              下側首部（第２首部）
３４ｃ              下側噛合頭部（第２噛合頭部）
３４ｇ              噛合部
３５ａ              下側胴先端部
３５ｂ              下側漸減部
４０                スライダー
４１                スライダー胴体
４２                引手
４３                上翼板
４４                下翼板
４５                フランジ部
４６                引手取付部
５０                スライダー
５１                スライダー胴体
５３                上翼板
５４                下翼板
５５                フランジ部
６０                スライダー
６１                スライダー胴体
６３                張出部
６４                下翼板
６５                フランジ部
６５ａ              縦壁部
６５ｂ              横壁部
７０                スライダー
７１                スライダー胴体
７３                上翼板
７４                下翼板
７５                フランジ部
８０                エレメント部材
８１                ファスナーエレメント
８２ａ              胴部
８２ｂ              首部
８２ｃ              噛合頭部
８２ｄ              突片部
８２ｅ              挿入凹部
８２ｆ              凹溝部
８３ａ              第１エレメント部
８３ｂ              第２エレメント部
８３ｃ              段差
８３ｄ              フランジ用凹部
Ｗ                固定用縫製部の第１及び第２刺通位置とファスナーエレメントとの間の幅方向における寸法（離間距離）
【図１】
0006786183.tif 000002
【図２】
0006786183.tif 000003
【図３】
0006786183.tif 000004
【図４】
0006786183.tif 000005
【図５】
0006786183.tif 000006
【図６】
0006786183.tif 000007
【図７】
0006786183.tif 000008
【図８】
0006786183.tif 000009
【図９】
0006786183.tif 000010
【図１０】
0006786183.tif 000011
【図１１】
0006786183.tif 000012
【図１２】
0006786183.tif 000013
【図１３】
0006786183.tif 000014
【図１４】
0006786183.tif 000015
【図１５】
0006786183.tif 000016
【図１６】
0006786183.tif 000017
【図１７】
0006786183.tif 000018
【図１８】
0006786183.tif 000019
【図１９】
0006786183.tif 000020